(57)【特許請求の範囲】
【請求項１】
回転可能な駆動カラーと、液体、気体または固体を送るための導管を有する内視鏡と、
前記内視鏡を配置可能な内面を有する細長い管と、
前記細長い管の外面に設けられ、前記導管に連通する中空構造を有し、前記液体、気体または固体の供給によって当該外面に対して縮小形状と拡大形状となるよう少なくとも一部が変形可能な螺旋ねじと、
前記駆動カラーの回転動作に応じて前記管が回転するよう前記管の前記カラーに対する固定状態を保持するばねを備えた取り付け部と、を具備し、
前記螺旋ねじは、前記導管に連通するための開口部を備え、さらに、前記開口部の周囲には前記液体、気体または固体を密封する封止部材を設けたことを特徴とする組織を視覚化するための装置。
【請求項２】
前記駆動カラーを回転させるための可撓性駆動シャフトを有しており、前記可撓性駆動シャフトは、前記内視鏡の基端と前記駆動カラーとの間に延びている請求項１に記載の装置。
【請求項３】
前記可撓性駆動シャフトは、前記内視鏡の内部に配置される請求項２に記載の装置。
【請求項４】
前記可撓性駆動シャフトを回転させるためのモータを有する請求項２に記載の装置。
【請求項５】
前記細長い管は、前記細長い管から前記内視鏡の先端が突出されるように前記駆動カラーに取り付けられている請求項１に記載の装置。
【請求項６】
前記取り付け部は、バヨネット式の取り付け部を有する請求項１に記載の装置。
【請求項７】
前記バヨネット式の取り付け部は、
前記細長い管及び前記駆動カラーのいずれか一方に位置するピンと、
前記細長い管及び前記駆動カラーの他方に位置するスロットとを有する請求項６に記載の装置。
【請求項８】
前記ばねは、前記スロットに対して前記ピンが係合するよう圧力を加える圧縮ばねであることを特徴とする請求項７に記載の装置。
【請求項９】
前記螺旋ねじは、半卵形断面ねじ輪郭を有する請求項１ないし８のいずれか１に記載の装置。
【請求項１０】
前記螺旋ねじは、非対称断面を有する請求項１ないし８のいずれか１に記載の装置。
【請求項１１】
前記螺旋ねじは、螺旋の長さに沿って変化する輪郭を有する請求項１ないし８のいずれか１に記載の装置。
【請求項１２】
前記螺旋ねじは、前記液体、気体または固体を前記螺旋ねじの中空部分から取り除くことによって、縮小形状に変形される請求項１ないし１１のいずれか１に記載の装置。
【請求項１３】
回転可能な駆動カラーと、液体、気体または固体を送るための導管を有する内視鏡と前記内視鏡が配置される体内の通路の側壁との間の相対移動を生じさせるための装置であって、
前記装置が、
前記内視鏡を配置可能な内面を有する細長い管と、
前記細長い管の外面に設けられ、前記導管に連通する中空構造を有し、前記液体、気体または固体の供給によって当該外面に対して縮小形状と拡大形状となるよう少なくとも一部が変形可能な螺旋ねじと、
前記駆動カラーの回転動作に応じて前記管が回転するように前記細長い管の前記駆動カラーに対する固定状態を保持するばねを備えた取り付け部と、を具備し、
前記螺旋ねじは、前記導管に連通するための開口部を備え、さらに、前記開口部の周囲には前記液体、気体または固体を密封する封止部材を設けたことを特徴とする組織を視覚化するための装置。
【請求項１４】
体内の通路に配置可能な細長いシャフトを有する内視鏡と、
前記シャフトの周方向に回転可能に配置され、前記シャフトの回転可能な領域を構成するシャフトとは一体的に設けられたカラーと、
前記カラーを含む前記シャフトの回転可能領域が配置される内面を有する細長い管と、
前記内視鏡の内部に沿って延び、液体、気体または固体を送るための導管と、
前記細長い管の外面に設けられ、前記導管に連通する中空構造を有し、前記液体、気体または固体の供給によって前記外面に対して縮小形状と拡大形状となるよう少なくとも一部が変形可能な螺旋ねじと、
前記カラーの回転動作に応じて前記管が回転するように前記管の前記カラーに対する固定状態を保持するばねを備えた取り付け部と、を具備し、
前記螺旋ねじは、前記導管に連通するための開口部を備え、さらに、前記開口部の周囲には前記液体、気体または固体を密封する封止部材を設けたことを特徴とする組織を視覚化するための装置。
【発明の詳細な説明】
【技術分野】
【０００１】
本特許出願は、
（ｉ）フラッシカ，ジェームズ・ジェイによって２０１０年１０月５日に出願された係属中の先行の米国特許出願第１２／９２４，８０７号「回転前進式カテーテル挿入システム」（代理人事件番号：ＦＡ−６３  ＣＩＰ  ＣＯＮ  ４）の一部継続出願であり、  
（ｉｉ）フラッシカ，ジェームズ・ジェイによって２００５年５月４日に出願された係属中の先行の米国特許出願第１１／１２１，７５１号「回転前進式カテーテル挿入システム」（代理人事件番号：ＦＡ−７０  ＣＯＮ）の一部継続出願であり、  
（ｉｉｉ）フラッシカ，ジェームズ・ジェイらによって２００６年２月２８日に出願された係属中の先行の米国特許出願第１１／３６３，９９０号「回転前進式カテーテル挿入システム」（代理人事件番号：ＦＡ−７１）の一部継続出願であり、  
（ｉｖ）フラッシカ，ジェームズ・ジェイらによって２０１０年８月２４日に出願された係属中の先行の米国特許出願第１２／８０６，９０５号「回転前進式カテーテル挿入システム」（代理人事件番号：ＦＡ−７２  ＣＯＮ）の一部継続出願であり、  
（ｖ）フラッシカ，ジェームズ・ジェイらによって２００８年５月１９日に出願された係属中の先行の米国特許出願第１２／１５２，９２６号「回転前進式カテーテル挿入システム」（代理人事件番号：ＦＡ−７５）の一部継続出願であり、  
（ｖｉ）フラッシカ，ジェームズ・ジェイらによって２００９年５月１８日に出願された係属中の先行の米国特許出願第１２／４６７，８３６号「回転前進式カテーテル挿入システム」（代理人事件番号：ＦＡ−７７）の一部継続出願であり、  
（ｖｉｉ）フラッシカ，ジェームズ・ジェイらによって２００９年５月１８日に出願された係属中の先行の米国特許出願第１２／４６７，９０７号「回転前進式カテーテル挿入システム」（代理人事件番号：ＦＡ−７８）の一部継続出願であり、  
（ｖｉｉｉ）フラッシカ，ジェームズ・ジェイらによって２０１１年１月１０日に出願された係属中の先行の米国特許出願第１２／９８７，７８３号「回転前進式カテーテル挿入システム」（代理人事件番号：ＦＡ−８３）の一部継続出願であり、
（ｉｘ）フラッシカ，ジェームズ・ジェイらによって２０１０年５月３日に出願された係属中の先行の米国仮特許出願第６１／３３０，４３５号「回転前進式カテーテル挿入システム」（代理人事件番号：ＦＡ−８５  ＰＲＯＶ）の利益を主張し、
（ｘ）フラッシカ，ジェームズ・ジェイらによって２０１０年５月３日に出願された係属中の先行の米国仮特許出願第６１／３３０，４４２号「回転前進式カテーテル挿入システム」（代理人事件番号：ＦＡ−８６  ＰＲＯＶ）の利益を主張し、また
（ｘｉ）フラッシカ，ジェームズ・ジェイらによって２０１０年５月３日に出願された係属中の先行の米国仮特許出願第６１／３３０，４５０号「回転前進式カテーテル挿入システム」（代理人事件番号：ＦＡ−８８  ＰＲＯＶ）の利益を主張する。
【０００２】
上述の１１つの特許出願は、参照としてここに組み込まれる。 
本発明は、哺乳動物の泌尿生殖器系通路及び消化器系通路のカテーテル挿入及び関連する治療のための器械及び方法に関する。特に、本発明は、基端側に推進され、哺乳動物の泌尿生殖器系通路及び消化器系通路内の前進及び制御に向けられたカテーテル、拡張器、オクルーダ、ステント、恥骨上カテーテル、カメラ導入器及び関連する医療装置に関する。
【背景技術】
【０００３】
ほとんどの哺乳動物では、粘膜は、身体内部を外部と連通させる全てのこれら通路の内側を覆って、体表のさまざまな開口部で皮膚に続いている。粘膜は、柔らかく滑らかで、非常に脈管が多く、粘膜の表面は、身体に進入してきて粘膜に接触する異物から粘膜を保護する働きをする、粘膜自身の分泌物である粘り気のある粘液で覆われている。
【０００４】
粘膜は、２つの主要な哺乳動物の体内管道、即ち、泌尿生殖器系及び消化器系の管道を覆うものと表現されており、全て又はほとんど全ての粘膜が、これらの内の一方又は他方の管道に属するもの及びそれに続いているものとして分類されることができる。  
これらの体内通路のいずれかに対するカテーテル挿入は、場合により、有用又は必要とされうる。  
排尿の問題は、おそらく、人間の歴史と同じだけの長きにわたり付きまとってきた。歴史には、古代中国人が急性尿閉の人々の苦痛を緩和するのに玉ねぎの茎を使用していたことが記されている。文献は、このような問題が、遥か２０００年以上も前の紀元前２０６年に遡ることに触れている。古代ローマ人はカテーテルを使用していたことが知られており、カテーテルは、紀元前３世紀のギリシャ人医師Ｅｒａｓｉｓｔｒａｔｕｓによって最初に発明されたと考えられている。ローマ時代のカテーテルは、青銅で作られた細い管であった。ローマ人の婦人科医Ｓｏｒａｎｕｓは、どのようにカテーテルを使えば、石を進路から押し出して膀胱腔へ戻し、尿の流れを回復させることができるかを説明している。ポンペイの発掘では、数点の青銅カテーテルが出土した。これらの器具は、巧く作られているが、比較的単純であり、カテーテルの設計が西暦７９年の時期から西暦１７００年頃までほとんど変わっていないことが分かった。
【０００５】
しかしながら、１８世紀及び１９世紀中に、カテーテルの構造はより複雑になっていき、可撓性と非刺激性と機能性を同時に併せ持つ適切な材料を得るための熾烈な探求が起こった。イギリス、フランス及びアメリカの全てが、この時期、個人、企業を問わず、尿道カテーテルに深く関わっていった。多くの変型が生み出されたが、それらは全て、それらの剛性の高い装置が尿道に押し込まれるときに患者に相当なストレスを引き起こした。最初の実用的な躍進は、弾性ゴムのカテーテル、即ち、尿道の流路内で曲がり易く、処理中に粘膜をそれほど擦らないカテーテルを使用して、フランス人によってもたらされた。
【０００６】
チャールズ・グッドイヤーは、天然ゴムの硫化に成功すると、フランス人が生み出したものに改良を加えた。尿道を押し通して膀胱の中まで進めることができるだけの剛性を有し、しかも、経路を巧く通り抜けることができるだけの可撓性を有する器具を製造するという課題は、欠点はあるものの、終に実用化が見える地点まで辿り着いた。当時、そして今日でさえ、機能的な尿道カテーテルとは、尿道の曲がりを巧く通り抜けることができるだけの可撓性を有し、尿道の通路の長さを通して押し進めるだけの安定性を有するものと定義されることが多い。
【０００７】
フランス人の泌尿器科医Ｊ．Ｊ．Ｃａｚｅｎａｖｅは、自国がカテーテルの分野でリーダーシップを取り戻すことを願い、可撓性と耐久性を有するカテーテルの改良に彼の人生の２５年から３０年を捧げた。この努力は１８００年代末期であり、脱灰された象牙質で作られたＣａｚｅｎａｒｅのカテーテルは時代遅れの装置であるが、それにもかかわらず、尿道の通路にカテーテルを押し込み膀胱に向けて同通路を巧く通り抜けさせるという、最新技術との一致を示している。
【０００８】
過去３００年間ほどの間、専門家としての誇り、国家の威信、及び金銭的な見返りに鼓舞されて、カテーテル開発努力が激化した。これらの努力によって、寸法変更、湾曲形状、構造の材料、滑らかさ、潤滑剤、被膜材、材料の組み合わせ、物理的属性、化学的属性、その他のような多くの改良が生まれたが、これらの改良全ては、外から押して前進させるカテーテル配備の基本原理に組するものであった。
【０００９】
先行技術のカテーテルは、一般に、大きく堅くて、処置が難しく不快であり、長期着用するのは不快である。カテーテルの装着を行う医療従事者には、一定の技量、寛容及び忍耐が求められ、習得のための訓練と実践に多くの時間が掛かる。先行技術の方法と器械の難しさ、不快感、傷害及び感染の危険性、抑圧性、及び不便さのせいで、多くの患者は、病気に冒されていない人々のように働き、遊び、旅行する自由を奪われてしまう。
【００１０】
成人男性の尿路の解剖は、図１に示されるように、膀胱４があり、尿は、尿道６を介して身体から出る前に、ここに集められる。膀胱４は、膀胱頚部５と呼ばれる筋肉質の出口の所で尿道６に収束している。おおよそ、尿道６の最初の１インチは、栗粒大の腺である前立腺７内に位置している。尿道の次のおおよそ半インチは、尿の放出を制御する筋肉質の流量弁である外括約筋８を貫いて走っている。尿道６の残り６インチは、海綿体帯域内に位置し、尿道口９の所で身体から出る。
【００１１】
膀胱を空にする正常なプロセスは、２つの原因によって妨げられうる。１つは、膀胱出口部閉塞であり、もう１つは、膀胱と脳をつないでいる神経の機能不全である。男性の膀胱出口部閉塞で最も多い原因は、前立腺の肥大又は肥厚化による肥大化である。高齢男性では、前立腺の肥大化が進んで前立腺部尿道を狭窄するのは珍しくない。良性前立腺肥大症（ＢＰＨ）として知られているこの病態は、尿が出にくい、排尿に努力を要する、尿線が細く勢いが悪い、といったさまざまな閉塞症状を引き起こし、極端な症例になると、完全尿閉を来し腎不全に至る恐れがある。
【００１２】
ＢＰＨの最も一般的な外科的介入処置である経尿道的前立腺切除、即ち、ＴＵＲＰは、回復期間が一年に達する程の長期に及び、手術によって性的機能障害のような合併症を発症する危険性が高い。そのような手術を受けた中で、軽度から中度の腹圧性尿失禁が残った人は１０％に達する。業界筋によれば、１９９４年には、米国でおおよそ４０万人の患者、世界中でおおよそ５０万人の患者が、ＴＵＲＰ又は代替処手術が当然とされる程重度のＢＰＨ又は癌誘発性膀胱出口部閉塞と診断された。
【００１３】
ＴＵＲＰに伴う高い費用、医学的危険性、及びクオリティ・オブ・ライフが危うくなる、ということが理由で、新しい技術が、重度のＢＰＨに対する標準的治療としてのＴＵＲＰの地位に挑み始めた。近年、米国の食品医薬品局（ＦＤＡ）は、ＢＰＨを治療する２つの薬物、テラゾシン塩酸塩（ｔｅｒａ  ｚｏｓｉｎ  ｈｙｄｒｏｃｈｌｏｒｉｄｅ）とｒｉｎａｓｔｅｒｉｄｅを認可した。しかしながら、これらの薬物では、概ね、治療開始後６〜９か月間は症状が改善されず、しかも副作用がないわけではない。
【００１４】
尿道狭窄は、出口部閉塞のもう一つの原因であり、カテーテル又は膀胱鏡に対する反応によって、又は傷害、先天性の欠陥又は疾病によって、生じる線維組織の増殖に起因する場合が多く、通常は、尿道拡張、カテーテル挿入、又は手術による治療が行われる。尿道狭窄の男性も、限られた排尿能力を体験しており、それによって極度な不快感が引き起こされることもあり、治療せずに放置した場合、合併症を引き起こしカテーテル挿入が余儀なくされる可能性もある。業界筋によれば、１９９４年には、米国でおおよそ５万人の患者が、再発性尿道狭窄と診断された。世界的には、さらにおおよそ７万５千人の患者が診断されたと推定される。
【００１５】
女性は、尿失禁（ＵＩ）を患う場合が男性よりも遥かに多くしかもより若くして患うが、それは、妊娠及び出産に伴うストレス、女性の尿道がより短いこと、及び前立腺がないことが主な原因である。米国の保健社会福祉省（ＨＨＳ）では、不随意な尿の漏れは、おおよそ１千万人のアメリカ人に影響を与えており、その内の８５０万人は女性であると推定している。これらの女性の内の７００万人は、施設に収容されている人々ではなく、即ち、地域社会で暮らしている人々である。
【００１６】
１５歳から６４歳の間の女性では、尿失禁の有病率は人口の１０パーセントから２５パーセントに及ぶと推定される。施設に収容されていない６０歳より上の人では、尿失禁の有病率は１５〜３０パーセントに及び、女性の有病率は男性の２倍になっている。
【００１７】
不随意な尿の漏れは、さまざまな解剖学的及び生理学的要因によって引き起こされ得る。尿失禁の種類と原因は、どのように病態を治療及び管理するかという上で重要である。尿失禁を２つに大別すれば、切迫性失禁と腹圧性失禁がある。中には、腹圧性失禁と切迫性失禁の組み合わせである混合型失禁と呼ばれる尿失禁を患っている人もいる。
【００１８】
切迫性失禁は、不意の強い尿意を伴う不随意な尿の漏れである。ほとんどの場合、切迫性失禁は、不随意な排尿筋（膀胱壁の平滑筋）の収縮又は過活動によって引き起こされる。多くの人では、切迫性失禁は、医薬品で満足のいく管理が行える。
【００１９】
より多発する腹圧性失禁は、腹圧を高める運動又は活動によって引き起こされる不随意な尿の漏れである。腹圧性失禁に最も多くみられる原因は、力を出したときの尿道と膀胱頚部の過可動又は著しい変位である。腹圧性失禁の原因としては、あまり多くはないが、内因性尿道括約筋不全（ＩＳＤ）、即ち、括約筋が尿を膀胱内に維持するに足る抵抗力を発生させることができない病態がある。
【００２０】
女性、及び良性前立腺過形成の病態を持たない男性にも、膀胱と脳をつなぐ神経が原因で、膀胱を空にすることができない状態になる可能性がある。この病態は、神経因性膀胱として知られており、脊椎披裂、多発性硬化症、脊椎の傷害、椎間板脱出、及び糖尿病を含む多種多様な病態に起こる。上記及び他の問題によって、膀胱が有効に尿を制御できなくなった場合には、数多くの治療選択肢がある。それらは、カテーテル、拡張器、オクルーダ及びステントである。
【００２１】
［留置用フォーリー型カテーテル］  
継続的なカテーテル挿入の間、留置カテーテルは、水が充填されたバルーンによって膀胱内に維持される。留置カテーテルは、尿を膀胱から脚又はベッドに取り付けられている袋に継続的に排出する。袋には、間を置いて尿を空けることができるように栓が設けられている。カテーテルは、通常、医師又は看護師によって挿入され、約４〜６週間毎に交換される。しかし、この設計には設置の難しさが常に付きまとっていた。これは、比較的剛性の高い厚肉のカテーテルに傷つき易い粘膜で覆われた尿道を横断させる必要のある従来型の「押し出し前進式」技術のせいである。
【００２２】
カテーテルのフレンチ（測定の単位）サイズは、尿を通すのに必要な管腔サイズではなく、挿入のための剛性の必要性によって決められることが多い。フォーリーカテーテルは、１４フレンチ又はそれより小さいサイズのものは、カテーテルを尿道の全長に沿って膀胱の中まで押し進めるのに必要な座屈強度を欠くため、めったに使用されない。  
それより大きいフレンチサイズのフォーリーカテーテルは、設置するのに痛みが伴い、留置中は不快感があり、挿入には非常に熟練した患者管理を行える者を必要とする。
【００２３】
［間欠式カテーテル］  
間欠式カテーテル挿入では、プラスチック、ゴム、又は金属製の単純なカテーテルが、患者又は介助人によって、ちょうど膀胱を完全に空にできるだけの期間、即ち、通常は約１分間挿入される。これらの一時的なカテーテルは、大抵、同じサイズの留置用カテーテルよりも直径が小さくてより堅い。男性では尿道が長く前立腺内に急な曲がりを有するため、この堅さはカテーテル挿入を困難にすることがある。さらに、外括約筋に到達したとき、括約筋の筋肉が収縮して通過を困難にする。ほとんどの患者は、自分達でカテーテル挿入を習得し、高い自立性を獲得する。このプロセスは、日中は約３時間乃至４時間毎に繰り返され、夜間は必要に応じて繰り返される場合もある。
【００２４】
間欠式カテーテル挿入は、主に、神経因性膀胱が原因で失禁のある人に使用される。間欠式カテーテル挿入は、膀胱の筋肉が弱く適切に収縮しないため、膀胱を空にすることができない人に使用されることもある。
【００２５】
［恥骨上カテーテル］  
一部の患者で長期の膀胱排出を維持するのに使用される代わりの器械と方法として、恥骨上管の使用がある。  
膀胱の恥骨上カテーテル挿入は、トロカール導入器と恥骨上カテーテルを案内するのに超音波又は蛍光透視を使用して、恥骨弓上方に進入し膀胱の中へ向かわせる経腹壁的穿刺により行われる。膀胱内にカテーテルが適切に設置されたことが確認されたら、その時点でトロカール導入器は抜去され、排出カテーテルはその場に留置される。
【００２６】
長期排出には、機械的固定、感染対策、及び皮膚適合性の問題に対処した標準的な粘着剤ベースの界面要素を使用してカテーテルを皮膚に固定する必要があるかもしれない。カテーテルの先端は、一般に、膨らませたバルーンによって、又は膀胱内で拡張するウイング形状の先端構造によって、又は補強ワイヤをカテーテルのルーメンから抜去すると元のＪ字形状に丸まる予め成形された湾曲状のカテーテル先端部によって、膀胱内に閉じ込められている。
【００２７】
膀胱壁を貫くこの形式の先端挿置法に伴う問題は、それが一方向に限定されることであり、即ち、この方法では、不注意によりカテーテルの先端が膀胱の壁から引っ張り出されることに抵抗するだけで、カテーテルは膀胱のさらに奥まで自由に進んだり又は閉じ込め構造の地点まで後退したりすることは許容される。膀胱穿刺位置でのこのような連続したカテーテルの前進後退運動は、組織を刺激し、膀胱とカテーテルの界面に感染又は他の問題を引き起こす可能性がある。尿は、特に、尿路の外側の人体のほとんどの部分に対して刺激性がある。
【００２８】
［拡張器］  
拡張は、連続的に大きいサイズの尿道拡張管を尿道を通って押し込んで尿道管腔のサイズを広げることによって達成されており、患者にとっては苦痛で外傷を被る手法である。狭窄の外科的治療には、外科的な危険性のみならず、感染、出血、及び再狭窄を含む合併症が伴い、再狭窄の場合にはさらなる治療が必要になることが多い。
【００２９】
概して、最先端技術の拡張器も、時を経てもほとんど変化していない。大きくなってゆくテーパ、球頭状の構造、又は大きくなった端部を有するシャフトが、道具を前進させる通り道のない状態で、狭くなっている通路に押し通され、長手方向に圧力を加えることにより、強制的に通路の壁を外側に広げる。この押し出し前進方式は、従来型のカテーテルと全く同じ制限を有する堅いシャフトを必要とする。カテーテルは、この拡張機能の程度については、本質的に、カテーテルを収容できる程度に通路が開存される範囲までは提供する。
【００３０】
［オクルーダ］  
オクルーダは、一部の症例で、失禁を制御するのに使用される。先行技術のオクルーダは、上で説明したカテーテル及び拡張器と同じ押し出し前進式の概念を当てはめて作られており、従って、同じ不都合に悩んでいる。基本的なオクルーダは、尿道内に挿入して尿道を通る尿の正常な流れを停止又は阻止するか、又は遥か膀胱の中まで操って、例えば、膀胱からの尿の流出を阻止するための栓として尿道頚部に着座させる、シャフト上の球頭部又は栓である。
【００３１】
［ステント］  
ステントは、尿の流れが許容されるように狭窄部を開存支持するために植え込まれる管状の金属メッシュ装置である。ステント本体は、解剖学的構造に応じて３．５ｃｍから６．５ｃｍの長さであり、所定の場所に固定されるように設計によって拡張可能になっている。ステントは、メッシュであるため、孔があり、それら孔により壁を通って組織が増殖することができるため、抜去が難しくなり、かさぶたができて尿の流れを減少させる。
【００３２】
尿道内弁付きカテーテル  
尿道内弁付きカテーテルは、遠隔的に作動させる一体型の弁によって尿の流れを制御するために植え込まれる装置である。全カテーテル長さが尿道内に在るため、外部感染の可能性は低減する。現在の設計の固定機構は、バルーン又はカテーテルからの「花弁状」突起体で達成されている。上述の設計の両方が、装着が複雑で、抜去が難しく、弁が失陥すれば、患者は痛みを伴う危険な状況に置かれることになる。
【００３３】
先行技術の特許  
押し出し前進式の方法論の不満を表明する先行技術の特許活動があった。カテーテルは、押し込み式装置の明らかに残された課題である外傷と苦痛を和らげることを意図したものと記載されている多種多様な螺旋状及びねじの切られた造形で飾り立てられてきた。Ａｌｖｏｒｄの米国特許第２０７，９３２号、Ｐｅｙｒｅｔの仏国特許第５６４，８３２号、Ｈａｙｅｓの米国特許第１，６４４，９１９号、及びＪａｃｏｂｙの米国特許第１，８８８，３４９号は、これらの代表である。どの場合も、これらの開示は、基本的な押し出し前進式技法には根本的に欠陥があり、放棄すべきであることを認識し損い、押し出し前進方式に代わる回転前進に必要な構造の重要な特徴を解明し損っている。
【００３４】
他に、異なる目的で螺旋状の造形の使用を明かした技術もある。例えば、Ｓｐｉｎｏｓａの米国特許第３，８１５，６０８号は、尿がカテーテルの外側周囲を流れることができるように尿道壁をシャフトから離して保持するよう考案されたねじを有するカテーテルを開示している。そのような開示では、同じように、螺旋状の造形に顧慮すること無く、押し込み方式への依存、即ち、そのような構造は引っ張り出せばよいという前提が明らかで、またもや、回転を押し出し式に代わる実行可能な代替法として認識し損い、効果的な回転前進に必要な構造の重要な特徴を解明し損っている。
【００３５】
さらに、従来型の押し込み方式に対する有効な改良を提供することに先行技術が失敗していることを示すものとして、これらの螺旋状の飾りを付けられた装置のいずれかが臨床的に有望であることが実証されたことを明白に示すものは、市販されている製品にも、出願人が知っている医療行為の中にもない。
【００３６】
［消化器内視鏡］  
ＧＩ（消化器）管の視診及び治療に使用される現在の装置は、可撓性内視鏡である。この装置は、装置が１９６０年代初頭に発明されてから変わらない基本的な押し出し前進式設計のせいで、使用には高度な技量を要し、操作が難しく、患者にとっては非常に苦痛である。内視鏡の先端部は、通常は、以下の部分、即ち、  
１．吸引及び補助的器具を通すためのチャネル開口部と、  
２．光ファイバ束から光を分配して視界を照らす導光レンズと、  
３．粘膜の画像を、光ファイバ画像束の面に合焦させて、接眼レンズに送り返されるようにする対物レンズと、  
４、観察される器官を膨らませる空気と結像（即ち、対物）レンズを洗浄する水とを供給する空気／水噴射と、を有する。
【００３７】
所謂「曲がり区分」は、管の先端のおおよそ８〜１５ｃｍの長さに亘る部分であり、内視鏡を内部へ向けて押してゆく際に操舵できるよう関節運動を行わせることができ、基端側ハンドル上の制御ノブに接続されているケーブル機構によって制御される。
【００３８】
所謂「挿入管」は、内視鏡の残りの６０〜１５０ｃｍの長さを構成しているが、これは制御可能に撓ませることができない。それは、内視鏡の設計において最重要とされる特注仕様の曲げ可撓性及びトルク伝達性を有する。ほとんどの器具は、２段階の曲げ剛性を有しており、即ち、挿入管の先端部分は基端部分よりも撓み易くなっている。挿入管の各部分の可撓性は、内視鏡が容易に取り扱えて患者の不快感が最小限になることを確実にするため、広範な臨床試験を要する。
【００３９】
結腸は、盲腸の右下四分の一区分から直腸まで走っている管状の器官である。それは、盲腸と上行結腸の中の最も幅広の部分であり、直腸に近付くにつれ徐々に細くなっていく。結腸は、以下の区分、即ち、  
ａ．盲腸と、  
ｂ．頭方向（頭部に向かって）に盲腸から肝湾曲部まで走っている上行結腸と、  
ｃ．肝湾曲部の上四分の一区分から脾湾曲部の左上四分の一区分まで走っている横行結腸と、  
ｄ．尾方向（足部に向かって）脾湾曲部から左下四分の一区分まで走っている下行結腸と、  
ｅ．左下四分の一区分からＳ状結腸移行部まで走っているＳ状結腸と、  
ｆ．肛門管まで下方向に伸びている直腸と、に分けられる。
【００４０】
結腸全体に亘って環状筋の内側の層が存在している。結腸の壁の外側縦走筋は、融合して３つの帯、即ち結腸ひもを形成している。これらの帯は、虫垂底から始まり、結腸の壁を下方に直腸まで走り、そこで筋層に広がっている。３つの結腸ひもにより、結腸は、内視鏡で見ると三角形の様相を呈しており、これは、上行結腸及び横行結腸で特に顕著である。膨起は、襞によって区分けされる結腸の外向きに突き出た袋状部分である。下行結腸は、内視鏡で見ると管状の様相を呈していることが多い。
【００４１】
ほとんどの熟練した結腸内視鏡施術者は、類似の内視鏡技法を使用する。空気を導入して結腸を膨らませるが、過膨張しないようにできる限り少量に抑える。内視鏡に加えられる押圧は、直腸壁又は腸間膜（直腸を扇状に保持する結合組織）が引き伸ばされて、痛み、迷走神経症状の露呈、又は穿孔が生じることのないように、緩やかである。ルーメンは、常に視野の中に維持されており、結腸内視鏡施術者は傷つき易い組織に堅い器具を押し通しているのであるから、盲目的に行われる診査はほとんどあるいは一切ない。
【００４２】
結腸鏡ができる限り輪にならないようにしながら、結腸鏡上に結腸を「アコーディオンのように短縮させる」のにさまざまな前進後退操作が使用される。困難を伴う結腸では、鋭い角度を成しているＳ状結腸／下行結腸移行部を通過するのに、Ｓ状結腸内でアルファ形状の輪を作成するというような特別な操作が使用される。この操作には、蛍光透視法による誘導と技法的な訓練が必要になる。
【００４３】
結腸鏡は、直視下に盲腸まで進められる。粘膜の詳細な診査は、通常、結腸鏡を盲腸からゆっくり抜去する際に行われる。  
大腸の全長を調べるには、高度な技術を有する施術者が必要であり、そのため処置費用が高くつく。しかしなお、同処置は患者にとっては非常に苦痛であり、鎮静が必要になる。これは、「押し出し前進式」設計に付きものの欠点のせいである。
【００４４】
小腸（small intestine）とも呼ばれる小腸（small bowel）は、腹腔の中心に位置する長く巻いている器官である。小腸は、長さが約６メートルあり、胃の幽門括約筋から回盲弁まで伸び、そこで結腸、即ち大腸に合流している。  
小腸は、以下の区分、即ち、  
ａ．十二指腸と、  
ｂ．空腸と、  
ｃ．回腸と、  
に分けられる。
【００４５】
小腸の壁は、上で説明した結腸のような消化管の他の部分を形成している壁と概ね同様である、とはいえ、それらよりも多少傷つき易い。小腸の壁は、内層で構成されており、それは、十二指腸では平滑であるが、その後には襞と小突起を有し、それにより、栄養の吸収を高めるために必要な広い表面積を作り出している。
【００４６】
小腸は、大腸よりも遥かに長い（通常は、４倍から５倍長い）が、直径は大腸より遥かに小さい。平均して、成人の小腸の直径は、測定するとおおよそ２．５ｃｍから３ｃｍであるのに対し、大腸の直径は、一般に、測定すると約７．６ｃｍである。
【００４７】
小腸と大腸では直径と長さ共に大きな差があるために、大腸の用途に使用される従来型の内視鏡と方法は、小腸を調べるには理想的でない。これは、小腸の場合は内視鏡上に手繰り寄せる（即ち、襞を付ける）必要があり、それを従来型の内視鏡を使用して行うのは難しいからである。上記に加えて、先に説明したように、より細い小腸は、非常に傷つき易い壁内層を有することもあって、結腸の内層より外傷を被り易い。
【００４８】
小腸にアクセスするための現在の手法では、小腸へ、そしてその中に進められ、その後膨らまされるバルーン装置が一般に使用されている。装置は、膨らまされると、装置の上へ或る長さ分の小腸を手繰り寄せるために基端方向に引かれ、次いで萎められる。装置は、次に、小腸のさらに奥に進められ、このプロセスは小腸の全長を横断するのに必要なだけ繰り返される。このプロセスは、処置を行う医師と、それを受ける患者の双方にとって非常に時間を食う。装置上に手繰り寄せる又は「襞を付ける」小腸組織が長いほど、組織損傷又は組織壊死の可能性が高まるため、処置の時間をできる限り短く維持することは重要である。同様に、処置が長引くほど、麻酔に関係する合併症の危険性が高まる。
【００４９】
以上を鑑みて、従来型の「押し出し前進式」内視鏡設計及び方法は、小腸の用途には理想的とは言えず、而して、小腸を内視鏡的に調べるための新規な手法が必要とされている。
【発明の概要】
【発明が解決しようとする課題】
【００５０】
先行技術の問題点の要約  
要約すれば、現在の押し込み式のカテーテル、拡張器、及びオクルーダにおいては、貫入させるのに十分な剛性を有すると共に、押し込み時に通路の壁に不当な外傷を負わせる危険が無く回転させられるだけの可撓性を有し、いったん装着されると長期にわたって着用できるだけの快適性を有するものを製作するには課題がある。ステントのかさぶた形成と抜去に伴う問題はよく知られている。先行技術の短所全てによって、自己管理が妨げられている。さらに、未熟な又は誤った技法によって、傷害、感染、及び不快感が生じることもある。結腸鏡に伴う問題は、これまでに説明した通りである。
【００５１】
押し込み式カテーテル／拡張器及びオクルーダの長い歴史は、カテーテルとは多少回転させ易くはなっているものの主として体内の通路に押し通すものであるという業界全体に亘る自己永続的な基本的前提に、徐々に明確化されていった。この「事実」は、市販製品及び医療行為においては、当技術での独創的な考え方が抑圧される程に広く継承普及している。痛み、外傷、破裂の危険性、及び処置の失敗、中止、又は未完遂という短所がたっぷり記録されているというのに、また、熟練した施術者並びに付きまとう問題に対処するための監視と安全対策のための特別な機材が必要であるというのに、である。
【００５２】
添付している特許請求の範囲を含め、本開示に使用する場合に限り、「先端の」、「先端方向に」、及び「先端」という用語は、ここに説明されている装置及び方法に関係する場合、同装置又は方法を被術者に適用している施術者から、より遠い又は離れる方向の装置の端を指す。別の言い方をすれば、上記用語は、被術者の内部により近いか又はこれに向かう方向の装置の端を指す。
【００５３】
「基端の」、「基端方向に」、及び「基端」という用語は、ここに説明されている装置及び方法に関係する場合、被術者にではなく、同装置又は方法を適用している施術者に、より近いか又はこれに向かう方向の装置の端部を指す。
【００５４】
本発明の目的は、カテーテル、プローブ、オクルーダ、ステント、及び拡張器を、尿道、尿管、食道、及び卵管のような泌尿生殖器系及び消化器系の通路の中へ回転前進させて固定するため、及び膀胱のような泌尿生殖器系の器官の排出用の恥骨上カテーテルを挿置するための、スクリューを基本にした手段であって、これによって、対象の装置は天然の身体開口部又は外科的に作成された開口部を通して適用し、装置を回転させながら通路又は器官の壁上で螺旋部を長手方向に引くことによって通路から引き出せるようになる、手段を提供及び採用することを含んでいる。さらに、本発明の目的は、体内通路（小腸など）をねじに基づく手段に集め、あるいは「襞状に」し、ねじに基づく手段の体内通路に対する移動を容易にすることを含んでいる。  
この技術は、先に論じた、４０００年の間続いている従来型の「押し出し前進式」の方法論からの抜本的な脱却である。
【００５５】
［留置及び間欠式カテーテル］  
この回転前進式の挿置形式によって可能になる可撓性を有する薄壁の留置及び間欠式カテーテルと関連装置及び送達用スタイレットは、外傷性が低く、医療施術者又は患者にとって使用がより簡単である。本発明のカテーテルは、螺旋又は回転技術を使用して、制御された挿入と尿道を巧く通り抜けるための可撓性を提供することによって、従来型の装置の問題を解消する。螺旋設計は、括約筋を弛緩させて、痙攣を軽減又は抑える安定した速度で通路の事前拡張を達成する。装置は、設置後、螺旋の半径方向変位と密なピッチによって固定され、身体運動又は流体の流れによって長手方向に移動しないようにされる。
【００５６】
他の実施形態では、螺旋は、シャフトのフォーリー型バルーンの下方に位置し、バルーンが膨らむと見えなくなる。可撓性を有する補強されたシャフトは、従来のフォーリーカテーテルの約半分の壁肉厚しか必要とせず、これは、外径（ＯＤ）がより小さいカテーテルが使用できるようになることを意味する。螺旋は、シャフトを前進させ、カテーテルが挿入されるにつれて尿道を拡張してゆく。膀胱に到達すると、バルーンが滅菌水で膨らまされ、螺旋はバルーンに包みこまれる。次に、プロセスを逆にしてカテーテルを抜去する。この技術は、特許配慮のための費用削減、臨床的成果の改善、及び患者のクオリティ・オブ・ライフの向上を助成する。
【００５７】
［弁を備えた禁制カテーテル］  
膀胱出口部閉塞の治療に適用される本発明の禁制カテーテルは、ＴＵＲＰを受けることができないか又は受けないことを選択するＢＰＨ患者に使用することを意図している。本発明のこの実施形態は、前立腺の区域内の尿道を開存維持することができる。このカテーテルの基端（外側）端には、膀胱を空にするために押圧するか又は別の方法で開けることができる流量弁を設けてもよい。カテーテルは、一度使用されたら必要に応じて取り換えることができる無菌の一回限定使用の使い捨て式の品目として製造してもよい。
【００５８】
本発明のカテーテルの同じ実施形態は、女性の腹圧性尿失禁（ＵＩ）で苦しむ人に、同状態を管理することを意図した吸収性製品を遥かに凌ぐ生活様式の恩恵をもたらす。  
患者は、カテーテルを尿道口に挿入し、シャフトを回転させてカテーテルを膀胱の中へ進めるだけでよい。これは、朝、自宅で手軽に行える。ユーザは、排尿が必要になると、可撓性シャフトの弁端を衣類から露出させ、弁を開けて、膀胱を空にすることができる。装置は排尿の都度取り出して再挿入することはないので、感染の危険性が減る。一日の終わりに、カテーテルは簡単に抜去され廃棄される。
【００５９】
［尿道内弁付きカテーテル］  
本発明の男性又は女性用尿道内弁付きカテーテルは、膀胱制御の治療に適用される。本発明のこの実施形態は、カテーテル内に在る弁機構によって尿の流れを制御できるようにしている。この弁は、直接的にスタイレットのような道具の挿入によって作動させてもよいし、遠隔的に磁界装置を使用することによって作動させてもよい。
【００６０】
尿道内装置は、細菌汚染の進入経路になり得る外側配管を省くことにより、感染の可能性を減らしている。これらのカテーテルは、解剖学的構造に応じて、通常は、３．５センチメートルから６．５センチメートルの長さであり、本体の外径上に本発明の螺旋要素を有する。螺旋のねじ高さは、装置の前進及び保持特徴を支援するものとして、自身の長さに亘って変化していてもよい。カテーテルの側壁は、収縮圧力による押し潰しに耐えるように補強してもよい。このカテーテルは、蛍光透視下に、カテーテルの基端に非回転嵌め合い式にキー係合する取り外し可能な可撓性スタイレットを使用して尿道に挿入してもよいし、外来患者の処置では局所麻酔を使って挿入してもよい。
【００６１】
［ステント］  
膀胱出口部閉塞の治療に適用される本発明のステントは、尿道の狭窄区域を開存維持する。ステント本体は、解剖学的構造に応じて３．５ｃｍから６．５ｃｍの長さであり、ステントを前進させて保持するために、本体の外径上に螺旋要素を有する。ステントの側壁は、前立腺の圧力によって押し潰されないように補強手段を有していてもよい。ステントは、蛍光透視下に、ステント本体の基端にキー係合する取り外し可能な可撓性スタイレットを使用して尿道に挿入することができ、外来患者の処置では局所麻酔を使って挿入してもよい。
【００６２】
本発明のステントは、回転が妨げられるように尿道粘膜に取り込まれる状況に陥ることはなく、これにより、長期間挿置し、その後、同じ回転技法を用いて抜去することができる。本ステントは、さらに、膀胱鏡に対応できるだけの大きさの内径又はルーメンを有していてもよく、これにより、ステントを抜去すること無く膀胱の診査が行える。
【００６３】
［拡張器とオクルーダ］  
本発明の螺旋形に改造された拡張器とオクルーダは、同様に、回転式に前進後退させるものであって、螺旋要素が或る程度までの引き延ばし機能を果たす。それぞれに直径を一回り大きくした拡張器を使用して、段階的に効果が強くなっていくようにしてもよい。
【００６４】
これらの装置のいずれかにおいては、回転前進手段に押し出し前進式の方法論を組み合わせてもよい。拡張器では、例えば、装置の球頭部分の、先端方向に伸びる螺旋状に装備された先導シャフトが、回転式に装置を進め、螺旋が通路の内部端から見えなくなる地点まで来ると、先導シャフトの残り部分がガイドワイヤとなって、拡張器が基端から押されたときに球頭部を導いて通路の残り部分を通過させる。
【００６５】
［恥骨上カテーテル］  
本発明を、膀胱又は他の泌尿生殖器系器官の排出のための古典的な経腹壁穿刺に使用される恥骨上カテーテルに適応させて改造したものでは、カテーテルの先端の螺旋部を、器官の壁に、螺旋状の羽根が器官壁の両側から伸びるように十分奥に挿置できるようになるため、カテーテルの器官に対する長手方向の滑動前進後退運動は螺旋状の羽根によって阻止される。これにより、器官壁進入点における刺激及びそれに伴う合併症の発生源が低減する。
【００６６】
螺旋状に改造された恥骨上カテーテルは、設置状況を視覚化する超音波又は蛍光透視を使用し、器官まで先導するガイドワイヤ越しにカテーテルを回しながら進めることによって器官内に設置してもよく、この場合、ガイドワイヤは、カニューレ及びトロカールを使用し器官に到達することによって作成された管状アクセスを通して装着済みであり、トロカールとカニューレは続いて抜去されている。
【００６７】
［一般構造］  
本発明の実施形態はいずれも、蛍光透視法を使用して、装置の挿置又は抜去を、あるいは装置の回転方向及び回転運動さえも、監視できるように、Ｘ線不透過性であってもよいし、Ｘ線不透過性の造形、マーカー、又は、他の構成要素を設けてもよい。
【００６８】
ねじ要素は、中実、中空、又は流体充填型であってもよい。それは、前進と固定を最適化するために、さまざまな場所で高さにテーパが付いていてもよい。本発明の実施形態又は要素は、毒性のない非腐食性の材料で製作するか、モールド成形するか、巻き付けるか、押出成形するか、又は別の方法で作ってもよいし、あるいは体液に対する耐性を有する、及び／又は体内に植え込まれても耐久性がある材料の組み合わせ、例えば、複合構造に作ってもよい。そのような材料には、限定するわけではないが、ポリウレタン、医用等級のステンレス鋼、シリコーン、バイカーボン、ポリテトラフルオロエチレン、タンタル、チタン、又はニッケル−チタン合金が挙げられる。反対に、抜去の必要性が無くなるように、生体吸収性である材料を特定的に選定してもよい。
【００６９】
本発明の装置は、以下の被膜材、即ち、水性親水性物質、ニトロフラゾンのような抗菌性被膜材、銀のような静菌性被膜材、又は、それらの臨床的性能をさらに高める他の薬剤、の内の１つ又はその組み合わせを使って増強してもよい。  
一実施形態では、静摩擦を減少させる又は除去するために、ゲル中に微粒子（例えば、タルク）又はミクロビーズ含有する被膜材を内視鏡の表面に塗布してもよい。
【００７０】
［ねじ付きカメラ導入器］  
ねじ付きカメラ導入器システムは、簡単に言えば、視覚化センサ及び他の用具を例えば結腸などの体内通路に導入しその全長を挿通させるための新規な手段を提示している（説明の目的のために、ねじ付きカメラ導入器システムが、以下では結腸の文脈において結腸を具体的に参照して説明されることがあるが、ねじ付きカメラ導入器システムが、例えば小腸などの他の体内通路における使用にも応用可能であり、用途の限定を意味するものではないことを理解すべきである）。導入器の基本構造は、本発明の、回転前進式の構造と方法論に一致しており、基端の回転力を結腸壁に対する牽引作用に変換する柔らかく柔軟性のある螺旋状のねじを備えた、大きく柔らかい可撓性を有するウォーム状の管状装置である。
【００７１】
中空のコア又は中央ルーメンが、管の先端と基端をつないでいる。カメラヘッド又は他の視覚センサを装置の中に導入し、先端の球頭先端部の中心から前方を「観察できる」ように配置することができる。カメラに接続されている光束又はワイヤは、中央ルーメンを通って装置の基端から外に出て適切な制御及び視認器械につながれている。
【００７２】
装置の先端は、螺旋部を係合させることができるほど奥まで直腸の中へ緩やかに押し進められる。装置は、進入点のすぐ外側から回転を掛けられ、ゆっくりと結腸に入り、結腸の全長さを通過して盲腸まで進められる。螺旋状のねじは、装置を、内部結腸壁に沿って緩やかに引っ張り、このとき、装置の可撓性のおかげで、装置は結腸の主要な曲がり角を容易に通り抜けることができる。先端の大きい方のねじは最大の把持又は牽引を提供し、基端に近い側の小さい方のねじは、それより程度の小さい把持又は牽引に貢献する。装置は、同じ方法を逆に使用して抜去される。
【００７３】
図示されるように、光束又はケーブルは、装置を回転させながら前進させたり引き出したりするのに必要な捩り強さを提供するか又はこれに寄与する可撓性を有するトルク管又はアセンブリに封入されていてもよい。  
主管状装置又は導入器の内部壁は、トルク管又は背骨を非回転式に収納するように構成し、導入器の外部壁の任意の場所に加えられたトルクがトルク管に伝わり、従って、装置の全長さに行き渡るようにしてもよい。
【００７４】
さまざまな実施形態と強化策は、全て本発明の範囲内で可能であり、即ち、  
１．装置の長さ方向に伸びている螺旋ねじ又は渦巻き部は、  
ａ）流体を結腸／通路に運ぶため、  
ｂ）カメラ又は内視鏡が装置の中へ進み易くなるように通路自体に対して又は装置内に減圧を提供するため、  
ｃ）特定の目的のために光束又は電気ワイヤを搬送するため、及び／又は、  
ｄ）施術者が体内での装置の大まかな位置を判定するのを支援する深さマーカーを提供するため、  
を含めた補助的な目的に使用することができ、  
２．渦巻き部は、さらに、進入時に、完全なねじの形を得てカテーテルをカメラ要素に回転式に把持又は固定できるように流体で膨らませ、その後、結腸を通して装置を引くことによって装置を非回転式に抜去できるように萎ませてもよく、  
３．回転式カメラ導入器を前進させる際にそれを通して見える映像画面又は画面上の画像は、処置を施術管理している人にとって都合のよいように非回転静止方式で画像が保持されるように電子的に処理してもよく、  
４．装置の先端部分は、結腸／通路の経路に沿った追跡性を高めるために、相対的により高い可撓性を持たせてもよく、  
５．装置は、直腸の全長さにおいて内部支持無しに装置の先端部分を回転させることができるだけの、基端から先端へのトルク伝達能力を有してもよく、  
６．先端部又は帯域は、結腸壁を把持し、装置を身体の中へ進めて曲がり角を通り抜けさせる一次的な「牽引力」を提供するだけのねじ高さを有し、一方では、引きずりのない回転式前進を支援し、結腸壁が束ねられたり手繰り寄せられたりしないようにするには、装置の残り部分に沿っては、多少低目のねじ高さが適切であり、  
７．この１６０ｃｍ長の器具を収納し、確実に、施術野内に留まるように制御するには、少なくとも３つの方法、即ち、  
ａ）図３４に示されている小出し装置、  
ｂ）真っ直ぐな管状の構成要素、又は  
ｃ）助手による保持、  
があり、  
８．構造の材料は、  
ａ）本体は、ポリ塩化ビニル（ＰＶＣ）プラスチックで作られ、ワイヤ又は布で補強されていてもよく、  
ｂ）螺旋部は、ＰＶＣで作られ、ワイヤなどで補強されていてもよく、  
ｃ）先端の窓は、ＰＶＣ、ポリカーボネート、又はアクリル系プラスチックから作られた平坦で光学的に透明なプラスチックレンズであってもよく、  
９．代わりの使用法としては、  
ａ）本発明の範囲内での導入器装置に対する変型では、全長管を含んでいてもよいし、あるいは、損傷を負った結腸又は関係のある腹部の傷害又は病態の修復を、結腸又は結腸の一部に補助的なライニング及び／又は成形品を提供することによって支援する場合のような一時的な目的では、尿道ステントに似た短尺区分を本発明の回転式構造と技法によって結腸に挿置してもよく、  
１０．トルク制御臍帯を有するカメラとしては、  
ａ）カメラと光源の両方を収納するカメラ本体は、ステンレス鋼で作られていてもよいし、ポリカーボネートのような寸法的に安定しているプラスチックでモールド成形されていてもよく、  
ｂ）トルク制御臍帯を形成している背骨は、高強度熱可塑性プラスチック又はステンレス鋼若しくはベリリウム銅のような金属で作られていてもよい。
【００７５】
本発明を用いれば、結腸全体は、従来の結腸鏡又は内視鏡無しに、そして専門的知識を備えた付き人、苦痛、薬剤、処置後の回復期間、及び費用無しに、診査することができる。本発明の手段及び方法は、訓練が少なくて済み、従来の道具及び処置に比べ、盲腸（結腸の一番端）に到達できる可能性が遥かに高い。  
他の体腔及び通路を同様に診査してもよい。
【００７６】
とりわけ、ねじ付きカメラ導入器システムを、体内通路（小腸など）をねじ付きカメラ導入器システムに集め、あるいは「襞状に」し、ねじ付きカメラ導入器システムの体内通路に対する移動を容易にすることで、視覚化及び／又は治療の処置を容易にするために使用することができる。
【００７７】
カメラ導入器カテーテルは、４つの異なるモードで使用することができ、即ち、  
１．「導入器」として使用することができ、その場合は、以下の特徴及び利点、即ち、  
ａ）それは、カメラアセンブリを結腸全体に沿って搬送し、患者のポリープ、病変部、癌の様子、及び他の病弊を映し出せるようにする、  
ｂ）従来の結腸鏡／内視鏡の必要性無しに、結腸全体を診査することができる、  
ｃ）結腸の総体的診査は、操縦技法、苦痛、薬剤、及び処置後の回復期間を著しく軽減しながら首尾よく行えるようになる、  
ｄ）訓練が少なくて済み、盲腸到達の成功率が高い、  
ｅ）一回限定使用の使い捨て式の装置として、トルク制御用臍帯付きの高価なカメラを、連鎖的な感染の危険無しに繰り返し使用できるようになる、  
ｆ）当該処置は、従来の内視鏡の洗浄及び修理費並びに高価な映像処理ユニットの減価償却費と比べ、安価である、  
ｇ）当該処置は、専門知識の少ない、費用のあまり掛からない個人によって首尾よく行うことができる、  
ｈ）「導入器」は、滅菌された状態で供給され、すぐに使用できる状態になっている、  
という特徴と利点を含んでおり、  
２．さらに「従来的な様式の内視鏡」−従来型の内視鏡を本発明の構造及び方法に合わせて改造することによってもたらされるもの−として使用することができ、その場合、本発明の利点は、以下の従来の機能、即ち、  
ａ）先端関節運動、  
ｂ）空気と水の送達、  
ｃ）流体の吸引、  
ｄ）通路の照明、  
ｅ）撮像能力、  
ｆ）薬物送達、及び  
ｇ）補助器具（例えば、作業道具）  
と結び付けられ、  
３．より一層「従来的な様式の内視鏡」及び／又は「導入器」の機能と特徴の幾つかを有し、処置が特化された用途で使用される装置に組み立てられた「ハイブリッド型カテーテル」として使用することができ、その場合、さらに、従来型の内視鏡装置及び補助器具と併用することも、独立して使用することもでき、  
４．従来の内視鏡を直腸又は他の通路のどのような場所へも送達する「搬送器」又は「導入器」として使用することもでき、これは、  
ａ）内視鏡のための流体密封式のエンベロプを設けること、及び  
ｂ）内視鏡で普段通り行われる診断／治療処置を行うために、内視鏡を「導入器」の先端から外に出すための手段を提供すること、  
によって起こしてもよい。
【００７８】
従って、本発明の一形態では、従来型の内視鏡は、外部に螺旋ねじを備えた概ね管状の構造を有する導入器の中に配置して、これにより、導入器を回転させると、導入器が、ひいては内視鏡が体内通路内を長手方向に動かされるようにしてもよい。本発明の１つの好ましい形態では、内視鏡は、回転式連結を使って導入器に連結し、導入器を回転させているときに内視鏡が回転から切り離された状態に置かれるようにすることで、導入器を回転させている間の内視鏡画像の安定を図ってもよい。  
本発明の他の形態では、従来型の内視鏡に、内視鏡の外部側壁の一部又は全体に沿って螺旋状のねじが設けられるように修正を加え、内視鏡を回転させたときに螺旋ねじが内視鏡を通路内で長手方向に動くようにしてもよい。
【００７９】
［動力駆動装置］  
本発明のシステムは、手動で（例えば、外科医がカテーテルを手で回転させることによって）回転させることもでき、又は代わりの方法として、システムは動力駆動することもできるものと理解されることができる。本発明の好ましい形態では、より容易に且つより正確に、カテーテルを体内通路の中へ前進させ又はカテーテルを体内通路から後退させられるように、カテーテルを回転させるのに動力駆動装置を使用してもよい。
【００８０】
［洗浄システム］  
本発明の好ましい一形態では、カテーテルの前方部からカスを一掃するための、洗浄システムが設けられることができる。多くの状況では、カテーテルを受け入れる体内通路はカスで覆い隠されているため、同システムは、内視鏡を体内通路に通して進める際に解剖学的構造が鮮明に見えるようにするのに役立つ。洗浄システムは、内視鏡挿入中に、流体を使って体腔通路からカスを洗い流すために設けてもよい。一例として、洗浄システムは、糞便を砕いて結腸から除去するのに使用してもよく、そうすれば、結腸を通してカテーテルを進める際に、解剖学的構造がさらに鮮明に見えるようになる。
【００８１】
［本発明の幾つかの好ましい形態］  
本発明の好ましい一形態では、遠隔位置にある体内の通路の内部を視覚化するための方法が提供され、そのような方法が、  
前記体内の通路に配置される視覚化システムであって、  
内視鏡と、  
使い捨ての駆動管と、  
前記使い捨ての駆動管を前記内視鏡の回転可能な駆動カラーに着脱可能に固定するための取り付け部と  
を備えており、  
前記内視鏡の前記回転可能な駆動カラーは、前記内視鏡に対して相対回転するように構成され、  
前記使い捨ての駆動管は、外面に螺旋ねじが配置された細長い管を備えており、細長い管は、前記内視鏡と同軸に配置されるように構成されており、  
前記螺旋ねじは、螺旋ねじが前記体内の通路の内部側壁に係合するように前記使い捨ての駆動管が体内の通路に配置されたときに、使い捨ての駆動管の回転によって使い捨ての駆動管と前記体内の通路の側壁との間に相対移動が生じるように、充分な構造的完全性及び充分な表面形状を有する、視覚化システムを用意することと、  
前記使い捨ての駆動管を、使い捨ての駆動管が前記内視鏡の前記回転可能な駆動カラーに固定されるように、前記内視鏡に同軸に取り付けることと、  
前記視覚化システムを、視覚化すべき部位から離れた位置にて、前記体内の通路に挿入することと、  
前記視覚化システムを、視覚化すべき部位から離れた位置にて、前記変形可能な螺旋ねじを縮小形状構成にした状態で、前記体内の通路に挿入することと、  
前記変形可能な螺旋ねじを、拡大形状構成に変換することと、
前記使い捨ての駆動管を回転させて、前記視覚化すべき部位と前記視覚化装置とを近付けることと、  
前記視覚化装置を使用して、前記体内の通路の内部を視覚化することと、
の各ステップを含んでいる。
【００８２】
本発明の他の好ましい一形態では、遠隔位置にある体内の通路の内部を視覚化するための方法が提供され、そのような方法が、
前記体内の通路に配置される視覚化システムであって、
内視鏡と、  
使い捨ての駆動管と、  
前記使い捨ての駆動管を前記内視鏡の回転可能な駆動カラーに着脱可能に固定するための取り付け部と  
を備えており、  
前記内視鏡の前記回転可能な駆動カラーは、前記内視鏡に対して相対回転するように構成され、  
前記使い捨ての駆動管は、外面に変形可能な螺旋ねじが配置された細長い管を備えており、細長い管が、前記内視鏡と同軸に配置されるように構成されており、  
前記変形可能な螺旋ねじは、変形可能な螺旋ねじが前記体内の通路の内部側壁に係合するように前記使い捨ての駆動管が体内の通路に配置されたときに、使い捨ての駆動管の回転によって使い捨ての駆動管と前記体内の通路の側壁との間に相対移動が生じるように、充分な構造的完全性及び充分な表面形状を有しており、
前記使い捨ての駆動管を、使い捨ての駆動管が前記内視鏡の前記回転可能な駆動カラーに固定されるように、前記内視鏡に同軸に取り付けることと、
前記視覚化システムを、視覚化すべき部位から離れた位置にて、前記体内の通路に挿入することと、
前記使い捨ての駆動管を回転させて、前記視覚化すべき部位と前記視覚化装置とを近付けることと、
前記視覚化装置を使用して、前記体内の通路の内部を視覚化することと、
前記変形可能な螺旋ねじを、縮小形状構成に変換することと、
前記視覚化システムを、前記体内の通路から引き出すことと、
の各ステップを含んでいる。
【００８３】
本発明の他の好ましい一形態では、組織を視覚化するための装置が提供され、そのような装置が、
内視鏡と、
使い捨ての駆動管と、
前記使い捨ての駆動管を前記内視鏡の回転可能な駆動カラーに着脱可能に固定するための取り付け部と
を備えており、
前記内視鏡の前記回転可能な駆動カラーは、前記内視鏡に対して相対回転するように構成され、  
前記使い捨ての駆動管は、外面に変形可能な螺旋ねじが配置された細長い管を備えており、細長い管は、前記内視鏡と同軸に配置されるように構成されており、
（ｉ）前記変形可能な螺旋ねじは、縮小形状構成と拡大形状構成との間で変換可能であり、（ｉｉ）拡大形状構成の状態で、変形可能な螺旋ねじが前記体内の通路の内部側壁に係合するように前記使い捨ての駆動管が体内の通路に配置されたときに、使い捨ての駆動管の回転によって使い捨ての駆動管と前記体内の通路の側壁との間に相対移動が生じるように、充分な構造的完全性及び充分な表面形状を有しており、
前記使い捨ての駆動管は、使い捨ての駆動管が前記内視鏡の前記回転可能な駆動カラーに固定されるように、前記内視鏡に同軸に取り付けられる。
【００８４】
本発明の他の好ましい一形態では、内視鏡と該内視鏡が配置される体内の通路の側壁との間の相対移動を生じさせるための装置が提供され、前記内視鏡は、内視鏡に対して相対回転するように構成された回転可能な駆動カラーを有しており、
前記装置が、
使い捨ての駆動管と、  
前記使い捨ての駆動管を前記内視鏡の回転可能な駆動カラーに着脱可能に固定するための手段と、を備えており、  
前記使い捨ての駆動管は、外面に変形可能な螺旋ねじが配置された細長い管を備えており、細長い管は、前記内視鏡と同軸に配置されるように構成されており、  
（ｉ）前記変形可能な螺旋ねじは、縮小形状構成と拡大形状構成との間で変換可能であり、（ｉｉ）拡大形状構成の状態で、螺旋ねじが前記体内の通路の内部側壁に係合するように前記使い捨ての駆動管が体内の通路に配置されたときに、使い捨ての駆動管の回転によって使い捨ての駆動管と前記体内の通路の側壁との間に相対移動が生じるように、充分な構造的完全性及び充分な表面形状を有しており、
前記使い捨ての駆動管は、使い捨ての駆動管が前記内視鏡の前記回転可能な駆動カラーに固定されるように、前記内視鏡に同軸に取り付けられる。
【００８５】
本発明のさらに他の目的、特徴及び利点は、当業者には以下の詳細な説明から容易に明白になるであろうし、以下には、本発明の好ましい実施形態並びに他の実施形態を、本発明を実施するに当たり考えられる最良の形態を例示することにより示し説明している。理解頂けるように、本発明は、その他及び異なる実施形態でも実現可能であり、その幾つかの詳細事項には、全て本発明から逸脱すること無く、明白な種々の点について修正を加えることができる。
【図面の簡単な説明】
【００８６】
【図１】図１は、図２のカテーテルのねじ付き部分が膀胱の中へ伸びた状態の、男性被術者の下腹部の解剖学的構造の例示である。
【図２】図２は、男性用のねじ付きカテーテルの斜視図である。
【図３】図３は、図２のカテーテルのねじ付き部分の断面図である。
【図４】図４は、尿道に係合させた図１のカテーテルのねじ付き端部の例示である。
【図５】図５は、女性用のねじ付きカテーテルの斜視図である。
【図６】図６は、図５のカテーテルのねじ付き部分の断面図である。
【図７】図７は、ねじ付きカテーテルと、これを装着するのに使用される可撓性シャフトを有するスタイレットの斜視図である。
【図８】図８は、図７のカテーテルの先端部の断面図であり、図７のスタイレットの先端部を受け入れる非回転式嵌め合い部を示している。
【図９】図９は、図８の嵌め合い部に挿入することのできる、図７のスタイレットの先端部の斜視図である。
【図１０】図１０は、ねじ付きバルーンカテーテルの長手方向概略断面図であり、ねじ要素が膨らまされたバルーンの内側に入っていることを示しており、ルーメンは破線で示されている。
【図１１】図１１は、図１０のカテーテルのシャフトの断面図であり、中央の排出ルーメンと、それより小さい膨張ルーメンを示している。
【図１２】図１２は、図１０のカテーテルの先端の長手方向断面図であり、バルーンが螺旋要素の周りに収縮した状態を示している。
【図１３】図１３は、ねじ付き拡張器の側面図である。
【図１４】図１４は、ねじ付きオクルーダの側面図である。
【図１５】図１５は、ねじ付きオクルーダのもう１つの変型の側面図である。
【図１６】図１６は、ねじ付きステントの斜視図であって、内部側壁補強部材とブッシングは六角形の駆動ソケットと共に破線で示されている。
【図１７】図１７は、図１６のステントの断面図である。
【図１８】図１８は、図１６のステントの基端面図であり、中心に六角形の駆動用ソケットが見える。
【図１９】図１９は、スタイレットの斜視図であり、基端には把持部、先端には六角形の駆動先端部を有する。
【図２０】図２０は、図１９のスタイレットの六角形の駆動先端部の斜視図である。
【図２１】図２１は、先端に螺旋要素を有するステントフォロアの斜視図である。
【図２２】図２２は、図２１のステントフォロアの先端の拡大断面図であり、ブッシングの隠れた部分を示しており、六角形駆動用アパーチャは破線で示されている。
【図２３】図２３は、流れ制御部を備えた尿道内カテーテルの断面図であり、チェック弁のボールに対するばねの役目を果たすコイル状の壁補強部材を示している。
【図２４】図２４は、図２３の尿道内カテーテルのチェック弁を働かせるためのスタイレット先端部の拡大斜視図である。
【図２５】図２５は、腹部を通して挿置される恥骨上カテーテルの概略図であり、先端は、螺旋ねじによって膀胱壁に固定されている。
【図２６】図２６は、螺旋ねじによって膀胱壁の穴の中に固定されている、図２５の恥骨上カテーテルの螺旋ねじの部分側面斜視図である。
【図２７】図２７は、膀胱壁の穴の中に固定されている、図２５及び図２６の恥骨上カテーテルの部分前方斜視図であり、穴は、カテーテルの管とねじの周りにきつく嵌るように伸ばされ変形している。
【図２８】図２８は、図２５の恥骨上カテーテルを装着するのに使用されるトロカール、カニューレ、及びガイドワイヤの概略図である。
【図２９】図２９は、図２１の恥骨上カテーテルの先端面図であり、回転方向マーカーを示している。
【図３０】図３０は、横行結腸区域の中へ進められているねじ付きカメラ導入器カテーテルの前方斜視図である。
【図３１Ａ】図３１Ａは、図３０のカテーテルの先端の部分側面図であり、カテーテルの長さの先端区域のねじの大きい方のねじ高さを示している。
【図３１Ｂ】図３１Ｂは、図３０のカテーテルの中間区分の部分側面図であり、カテーテルの長さの先端区域以外のねじの小さい方のねじ高さを示している。
【図３２】図３２は、電気ケーブル及び／又は光束が中を走る可撓性を有するトルク管又はアセンブリに取り付けられたビデオカメラ又は視覚センサヘッドを有するカメラアセンブリの斜視図である。
【図３３】図３３は、図３１Ａの好ましい実施形態の先端の部分断面図であり、図３２のカメラアセンブリが使用に際し取り付けられている。
【図３４】図３４は、患者への適用中に、図３０のカテーテルを管理及び統制できるようにする回転式容器兼小出し装置である。
【図３５】図３５は、回転結合部を有するカメラ導入器のさまざまな構造を示す概略図である。
【図３６】図３６は、回転結合部を有するカメラ導入器のさまざまな構造を示す概略図である。
【図３７】図３７は、回転結合部を有するカメラ導入器のさまざまな構造を示す概略図である。
【図３８】図３８は、回転結合部を有するカメラ導入器のさまざまな構造を示す概略図である。
【図３９】図３９は、回転結合部を有するカメラ導入器のさまざまな構造を示す概略図である。
【図３９Ａ】図３９Ａは、回転結合部を有するカメラ導入器の別の構造を示す概略図である。
【図３９Ｂ】図３９Ｂは、回転結合部を有するカメラ導入器の別の構造を示す概略図である。
【図３９Ｃ】図３９Ｃは、回転結合部を有するカメラ導入器の別の構造を示す概略図である。
【図３９Ｄ】図３９Ｄは、回転結合部を有するカメラ導入器の別の構造を示す概略図である。
【図３９Ｅ】図３９Ｅは、螺旋状ねじ山を外部側壁に形成した従来型の内視鏡を示す概略図である。
【図４０】図４０は、本発明に従って形成された導管継手の概略図である。
【図４１】図４１は、本発明に従って形成されたアクセス装置の概略図である。
【図４２】図４２は、本発明に従って形成されたアクセス装置の概略図である。
【図４３】図４３は、本発明に従って形成されたアクセス装置の概略図である。
【図４４】図４４は、本発明に従って形成された動力駆動カテーテルシステムの概略図である。
【図４５】図４５は、本発明に従って形成された洗浄機構を有するカテーテル挿入のシステムの概略図である。
【図４６】図４６は、好ましい前立腺ステント構造を例示している。
【図４７】図４７は、好ましい卵管カテーテル構造を例示している。
【図４８】図４８は、螺旋ねじ構造の各種好ましい構成を示している。
【図４９】図４９は、螺旋ねじ構造の各種好ましい構成を示している。
【図５０】図５０は、螺旋ねじ構造の各種好ましい構成を示している。
【図５１】図５１は、螺旋ねじ構造の各種好ましい構成を示している。
【図５２】図５２は、螺旋ねじ構造の各種好ましい構成を示している。
【図５３】図５３は、螺旋ねじ構造の各種好ましい構成を示している。
【図５４】図５４は、螺旋ねじ構造の各種好ましい構成を示している。
【図５５】図５５は、螺旋ねじ構造の各種好ましい構成を示している。
【図５６】図５６は、本発明により小腸を診査しているカメラ導入器システムを示している。
【図５７】図５７は、本発明により小腸を診査しているカメラ導入器システムを示している。
【図５８】図５８は、本発明により小腸を診査しているカメラ導入器システムを示している。
【図５９】図５９は、本発明により小腸を診査しているカメラ導入器システムを示している。
【図６０】図６０は、本発明により小腸を診査しているカメラ導入器システムを示している。
【図６１】図６１は、本発明により小腸を診査しているカメラ導入器システムを示している。
【図６２】図６２は、本発明により小腸を診査しているカメラ導入器システムを示している。
【図６３】図６３は、動力式の螺旋駆動装置を備えたカメラ導入器システムを示している。
【図６４】図６４は、動力式の螺旋駆動装置を備えたカメラ導入器システムを示している。
【図６５】図６５は、動力式の螺旋駆動装置を備えたカメラ導入器システムを示している。
【図６６】図６６は、動力式の螺旋駆動装置を備えたカメラ導入器システムを示している。
【図６７】図６７は、動力式の螺旋駆動装置を備えたカメラ導入器システムを示している。
【図６８】図６８は、動力式の螺旋駆動装置を備えたカメラ導入器システムを示している。
【図６９】図６９は、動力式の螺旋駆動装置を備えたカメラ導入器システムを示している。
【図７０】図７０は、動力式の螺旋駆動装置を備えたカメラ導入器システムを示している。
【図７１】図７１は、動力式の螺旋駆動装置を備えたカメラ導入器システムを示している。
【図７２】図７２は、動力式の螺旋駆動装置を備えたカメラ導入器システムを示している。
【図７３】図７３は、動力式の螺旋駆動装置を備えたカメラ導入器システムを示している。
【図７４】図７４は、動力式の螺旋駆動装置を備えたカメラ導入器システムを示している。
【図７５】図７５は、本発明に従って形成された新規な視覚化システムを示す概略図である。
【図７６】図７６は、図７５と同様の図であるが、選択された部分が断面にて示されている。
【図７７】図７７は、図７５の新規な視覚化システムの内視鏡を示す概略図である。
【図７８】図７８は、図７７に示した内視鏡の一部分の拡大図である。
【図７９】図７９は、図７７に示した内視鏡の一部分の拡大断面図である。
【図８０】図８０は、図７７に示した内視鏡の一部分の別の拡大断面図である。
【図８１】図８１は、図８０の線８１−８１に沿って得た図である。
【図８２】図８２は、図８１に示した構造の一部分の拡大図である。
【図８３】図８３は、図７５の新規な視覚化システムの使い捨ての駆動管を示す概略図である。
【図８４】図８４は、図８３に示した使い捨ての駆動管の部分断面図である。
【図８５】図８５は、図７５の新規な視覚化システムの一部分の拡大図である。
【図８６】図８６は、使い捨ての駆動管を内視鏡に着脱可能に固定するために使用されるバヨネット式の取り付け部を示す概略図である。
【図８７】図８７は、使い捨ての駆動管を内視鏡に着脱可能に固定するために使用されるバヨネット式の取り付け部を示す概略図である。
【図８８】図８８は、図７５乃至図８７の新規な視覚システムが、どのようにして変形可能な螺旋ねじを備えることができるかを示す概略図である。
【発明を実施するための形態】
【００８７】
当業者にとって、本発明は、器械と方法論において多くの変型及び呼称を受け入れる余地がある。例えば、本発明によれば、体内通路に貫入させる場合に、これまでは押し出し前進式の技法に全面的又は実質的に頼っていた或る範囲の医療装置に適用することのできる、回転前進式の構造と方法論が提供されている。そのような装置には、それらに関係付けられる通常の用途において哺乳動物の尿道又は尿管のような泌尿生殖器系又は消化器系の通路に使用されるもので、通路の壁又は膜の切開又は穿刺を意図していない、カテーテル、拡張器、及びオクルーダが含まれる。
【００８８】
［カテーテル］  
これより図１、図２並びに図３を参照してゆくが、男性用のねじ付きカテーテル１０１は、流れ制御装置１０４に取り付け可能な、雄ねじ１０３の付いた管１０２で構成されている。管１０２は、ポリウレタン材料から押出成形されており、０．０６インチの内径及び０．１２５インチの外径１０３ｄを有し、おおよそ１３インチの長さがある。デュロメータ硬度は、管の滑らかな外壁で測定してショアＡ硬度８５である。先端１０５は閉鎖しており、その先端は約０．０６インチの均一半径に丸められている。管１０２の基端１０６は、直角に切り落とされ、流れ制御装置１０４に取り付けられている。管１０２は、その長さの大部分が尿道内に入っているときに、尿道の外の管の下端部に指の力で加えられるトルクに耐えて、そのトルクをねじに伝達できるだけの強度を有する。
【００８９】
図２並びに図３に示すように、雄ねじ１０３は、幅１０３ａが０．０５インチで高さ１０３ｂが０．０３２インチの矩形断面を有するポリウレタン材料の条片で形成され、先端１０５から０．２インチから始まり基端１０６に向けて時計回りに、０．２５インチの均一ピッチ１０３ｃで管１０２を完全に４周するように延び、長さ約１インチの巻き数４のねじ又は螺旋が形成されるように、その長さに亘り途切れなく管１０２に取り付けられている。
【００９０】
カテーテル１０１のねじ高さ１０３ｂは、ねじ直径１０３ｄの２０パーセント（２０％）より大きいことが、図２並びに図３の寸法から容易に分かる。尿道の縦走襞を広げ、そこにねじによる有効な把持を実現できるだけの深さまで貫入するには、この相対高さが望ましい。
【００９１】
カテーテル１０１のねじ１０３によって形成されている螺旋の直径は、ねじ直径１０３ｄと呼ばれ、２つ分のねじ高さ１０３ｂにカテーテル管１０２の外径１０２ｄを足したものに等しく、本事例では２×０．０３２インチ＋０．１２５インチ、即ち、おおよそ０．１９インチである。ねじ３０により形成されている螺旋の円周Ｃは、ねじ直径１０３ｄのπ（パイ）倍と計算され、即ち、本事例では３．１４×０．１９、即ち、おおよそ０．６インチである。
【００９２】
Ｃ＝ｐ×ねじ直径１０３ｄ
０．２５インチのねじピッチ１０３ｃ対０．６インチのねじ直径１０３ｄの円周の比であるＲは、１対１より遥かに小さく、その結果、１／１より大きい比の場合に比べ、回転を長手方向の牽引力に変換するスクリューねじの梃子比が上がる。
【００９３】
Ｒ＝ねじピッチ１０３ｃ／Ｃ
ねじ１０３の肩部は、０．０１５インチの半径を有する。数量が少ない場合、ねじ１０３は、細い中空管を使って、テトラヒドロフラン（ＴＨＦ）溶剤をねじの下に吸い上げることにより、管１０２に取り付けてもよい。大量の場合、カテーテル１０１は、ねじ１０３が成形構造の一体部分になるようにモールド成形してもよい。
【００９４】
図４に示すように、ルーメン１０８につながっている２つの排出ポート１０７は、形状が楕円であり、楕円の長軸は管１０２の軸に平行で短軸の約１．５倍あり、これは、ルーメンの直径とほぼ等しい。２つのポートは、半径方向に１８０度離間するように構成されており、ねじ１０３の巻きと巻きの間に嵌るように長手方向に間隔を開けて配置されている。
【００９５】
ねじ１０３の両端は、螺旋の２分の１巻きでゼロから全高までテーパが付けられ、カテーテル１０１を尿道の中へ前進させる場合には時計回りにそして後退させる場合には反時計回りに回転させるときに、ねじ１０３が尿道壁２を緩やかに徐々に変位させ易いようになっている。図３に示されているねじ高さ１０３ｂとピッチ１０３ｃの差は、尿道壁２が、ねじ１０３の隣接する巻きと巻きの間を架橋するのではなく、むしろ尿道壁をねじ１０３の断面にぴったり沿わせるように変位させて、カテーテルを前進後退させる際の尿道壁２に対する長手方向の把持を提供できるだけの差になっている。
【００９６】
図１に示すように、カテーテル１０１は、尿道６を通して進められ、最終的に螺旋が尿道を通過して膀胱に入った状態で、膀胱４の排出にとって正しい位置に置かれていることが分かる。
【００９７】
図１に示されている解剖図からは、ねじ１０３が括約筋８よりも上のどこかの点まで前進できる長さが制限されているはずであり、よって、括約筋が管１０２の滑らかで丸みのある外表面に直接収縮することができ、これにより管の周りの漏出を防止し、さらに、カテーテル１０１が膀胱内の尿の圧力によって尿道から移動して出るか又は押し出されることのないようにカテーテルを拘束していることが明らかである。図１に示されている解剖図からは、さらに、カテーテル上のねじ１０３の長さは、カテーテルが括約筋８より上の位置へ、ねじピッチの最適範囲内での巻き数６程度を超えては前進せず、なお且つ干渉無しに膀胱４内に嵌っていられるように制限されていることが明らかである。さらに、ねじ１０３の長さが制限されていることにより、牽引力の区域がカテーテル１０１の上端部に局在化するため、確実に、カテーテルの従動長さは、通路を押し通されるのではなく引き通されることになる。
【００９８】
カテーテル１０１の或る有用な代わりの実施形態は、回転前進のための前述の雄ねじ１０３を組み込んでいるが、ほとんどの基本的な従来型カテーテル同様に、中央ルーメンを、カテーテルの先端部の直通しているか又は軸方向に整列している排出ポートにつなげるか又はそこで終端させることを考慮している。このことは、排出にとっては同様に有用であり、これにより特定の処置で必要になった場合にガイドワイヤ又は他の装置を挿入又は通すことができるようにもなる。
【００９９】
図５並びに図６を参照すると、女性用のねじ付きカテーテル１１１は、男性用のカテーテル１０１と同様に、流れ制御装置１１４に取り付け可能な、ねじ１１３の付いた管１１２で構成されている。管１１２は、ポリウレタン材料から押出成形されており、０．０６３インチの内径及び０．１２５インチの外径１１２ｄを有し、おおよそ７インチの長さがある。デュロメータ硬度は、管の滑らかな外壁で測定してショアＡ硬度８５である。先端１１５は閉じており、その先端は約０．０６インチの均一半径に丸められている。管１１２の基端１１６は、直角に切り落とされ、流れ制御装置１１４に取り付けられている。管１１２は、その長さの大部分が尿道内に入っているときに、尿道の外側の管の下端部に指の力で加えられるトルクに耐えて、そのトルクをねじ又は螺旋に伝達できるだけの強度を有する。
【０１００】
図５並びに図６に示すように、カテーテル１１１のねじ１１３は、幅１１３ａが０．０５インチで高さ１１３ｂが０．１０インチの矩形断面を有するポリウレタン材料の条片から形成され、先端１１５から０．２インチから始まり基端１１６に向けて時計回りに、０．２５インチの均一ピッチ１１３ｃで管１１２を完全に４周するように延び、長さ約１インチの巻き数４のねじ又は螺旋が形成されるように、管１１２に取り付けられている。
【０１０１】
カテーテル１１１の０．１０インチのねじ高さ１１３ｂは、０．１２５インチの管直径１１２ｄの２０パーセント（２０％）より遥かに大きいことが、図５並びに図６から容易に分かる。女性の尿道の縦走襞を広げ、そこにねじによる有効な把持を実現できるだけの深さまで貫入するためには、この相対ねじ高さが望ましい。
【０１０２】
ねじ付きカテーテル１０１の説明と同様に、ねじ１１３によって形成されている螺旋の直径１１３ｄは、２つ分のねじ高さ１１３ｂに直径１１２ｄを足したものに等しく、本事例では２×０．１０＋０．１２５、即ち、おおよそ０．３３インチである。ねじ１１３により形成されている螺旋の円周Ｃは、ねじ直径１１３ｄのΠ（パイ）倍と計算され、即ち、本事例では３．１４×０．３３、即ち、おおよそ１．０インチである。０．２５インチのねじピッチ１１３ｃ対１．０インチの円周Ｃの比であるＲは、ここでも１対１より遥かに小さく、その結果、大きい比の場合に比べ、回転を長手方向の牽引力に変換するねじの梃子比が上がる。
【０１０３】
ねじ１１３の肩部は、０．０１５インチの半径を有する。カテーテル１１１は、カテーテル１０１と同じ手段によって、形成又は製作してもよい。
【０１０４】
図５に示すように、ルーメン１１８につながっている２つの側方排出ポート１１７は、形状が楕円であり、楕円の長軸は管１１２の軸に平行で短軸の約１．５倍であり、これは、ルーメンの直径とほぼ等しい。２つの側方ポート１１７は、半径方向に１８０度離間するように構成されており、ねじの巻きと巻きの間に嵌るように長手方向に間隔を開けて配置されている。
【０１０５】
図５並びに図６に示すように、ねじ１１３の両端は、螺旋の４分の３巻きでゼロから全高までテーパが付けられ、カテーテルを尿道の中へ前進させる場合には時計回りにそして後退させる場合には反時計回りに回転させるときに、ねじが緩やかに徐々に尿道壁を変位させ易いようになっている。幅１１３ａとピッチ１１３ｃの差は、図２並びに図３のカテーテル１０１のねじの場合と同方式に、尿道壁が隣接する巻きと巻きを架橋するのではなく、むしろ尿道壁をねじの輪郭にぴったり沿わせるように変位させて、カテーテルを前進後退させる際の尿道壁に対する長手方向の把持を提供できるだけの差になっている。
【０１０６】
女性の被術者の膀胱の排出にとって最適なねじ付きカテーテル１１１の位置は、それが尿道を通して進められ、最終的にねじが尿道を通過して膀胱に入った位置であり、カテーテル１０１が図１に例示されている状態と同様であるが、今回は対象が女性である。  
該当する各々のねじ付きカテーテル１０１若しくは１１１又は類似のねじ付き装置を自己処置する場合の詳細な方法をこれより説明してゆく。
【０１０７】
先ず、ユーザは、滅菌が施されたねじ付きカテーテル１０１又は１１１と、尿、石鹸、及び水用の容器と、水溶性潤滑剤（カテーテルに事前に潤滑剤が塗布されていない場合）と、鏡（女性の場合）と、ティッシュとを含む器材を組み立てる。ユーザは、次いで、石鹸と水を使って手と尿道口を洗い、少量の潤滑剤を清潔なティッシュに絞り出し、カテーテルの先端部を潤滑剤に浸け、手を使ってカテーテルの先端部を尿道口の中に入れる（鏡は、女性の場合に尿道口の場所確認の支援に役立つであろう）。
【０１０８】
ユーザは、次いで、カテーテルを緩やかに押し回しながら、ねじのほぼ１巻分が尿道と係合できるだけの深さまで入れ、その後、カテーテルの管を、望ましくは時計周りのねじの方向に緩やかに回転させながら尿道の中へ進めてゆくと、最終的に尿が管の中に見える。そこで、ユーザは、膀胱の排出を一次停止して容器の中へ導尿し、次いで、カテーテルの回転を再開し進めてゆくと、最終的には回転によってそれ以上進めない状態になるが、これが、カテーテルのねじが膀胱の中まで通りカテーテルが正しい位置に入ったことの印である。
【０１０９】
ユーザは、次に、流れ制御装置を、カテーテルの基端に設置して、必要に応じて周期的に膀胱を空にする。カテーテルは、適切な場合、清潔と閉じ込めに対する同じ予防策を講じながら、カテーテルを挿入方向とは反対の方向、おそらくは反時計回りに回すことによって抜去される。
【０１１０】
次に図７、図８並びに図９を参照すると、本発明のもう１つの実施形態がカテーテル１２１によって例示されており、同カテーテルは、ねじ１２３が螺旋の形で設けられている管１２２で構成され、可撓性シャフトを有するスタイレット１３１を挿入及び後退道具として利用している。スタイレット１３１は、その基端に、装置を回すための把持部１３３を有する。管１２２は、その先端１２５付近に非回転式嵌め合い部１２４（図８）を備えた構成であり、スタイレット１３１を管の基端１２６に挿通し、管１２２のルーメン１２８の中を通してゆくと、スタイレット１３１の先端部１３４が嵌め合い部１２４と係合するが、このとき、把持部１３３を一方の方向に回せばカテーテル１２１が回転して尿道の中へ前進し、他方の方向に回せば後退するように、係合する。
【０１１１】
スタイレット１３１の可撓性シャフト１３２は、完全にカテーテル１２１に挿入されたときに、シャフト１３２が、尿道の外側のイボ付き把持部１３３に指の力で加えられたトルクに耐えて、そのトルクをねじ１２３へ伝達することができるだけの強度を有する。スタイレット１３１は、カテーテル１２１が装着された後に抜去され、必要に応じカテーテルを後退させる場合に再挿入される。
【０１１２】
嵌め合い部１２４は、複数の面を持つ内部壁を備えた細長いカラーであり、管１２２内にしっかりと固定され、先端１３４を非回転式の関係に受け入れるように構成されている。先端部１３４は、嵌め合い部１２４に容易に進入できるように、一致する細長く複数の面を持つ外形と丸みの付いた端を有する構成である。スタイレットの先端部１３４と嵌め合い部１２４は、他の構成を採ることもでき、非滑動式且つ非回転式の接続を提供するさまざまな手段によって接続することができる。
【０１１３】
次に、図１０、図１１並びに図１２を参照すると、本発明のねじ付きフォーリー型カテーテル１４１は、ポリウレタン材料で作られている。カテーテル１４１は可撓性の管１４２を備えており、同管には軸方向排出ルーメン１４８が排出ポート１４９から管の基端１４６ａまで走っており、管の先端１４５近くの外表面には、ねじ１４３が、先に説明したねじ付きカテーテルの方式で設けられている。カテーテル１４１は、螺旋ねじ１４３を包み込み、ねじ１４３の上方と下方（即ち、ねじより先端側と基端側）で管１４２にシールされている、薄壁の膨張可能な弾性バルーン１５０を有する。バルーン１５０から上方（又は先端側）には排出ポート１４９が位置している。管１４２内では、細い方の膨張ルーメン１５１が、膨張ポート１５２（バルーン１５０のエンベロプ内）とカテーテルの先端１４６ｂの間を連絡している。ルーメン１４８と１５１は、図１１並びに図１２に表示されているように互いから隔てられている。
【０１１４】
バルーン１５０は、膨らまされていないとき、普通は図１２に示されているように螺旋要素１４３の周りに密に収縮していて、ルーメン１５１を通して流体をバルーン空洞部１５３に注入することによって図１０のように膨張させてもよい。可撓性の管１４２は、管１４２の基端に加えられた指の回転力に耐えて、それをねじ１４３に伝達することができるだけの捩り強さを有する。
【０１１５】
［拡張器とオクルーダ］  
次に図１３、図１４並びに図１５に示すように、拡張器２０１とオクルーダ２１１及び２２１は、可撓性シャフト２０２の上端部２０５を、その先端付近に先細の球頭部２０４が設けられているように構成し、その表面に１つ又は２つのねじ区分２０３を配置した同様の構造である。これらのねじは、図２並びに図３のカテーテル１０１のねじ１０３と同様であり、ねじの高さは、シャフト２０２の直径の少なくとも２０パーセント（２０％）であり、ねじピッチ対ねじ直径の円周の比は球頭部又はシャフト上のいずれの所与の位置でも１対１（１／１）より小さい。ここでも、ねじ２０３の両端は、図２並びに図３のねじ付きカテーテルと同様に、前進後退を容易にするため先細になっている。
【０１１６】
図１３の拡張器２０１は、複数の巻き数のねじ２０３が先細の球頭部２０４の両端に亘って伸びている構成であり、通路の閉塞した区域の中を、本発明のねじ付きカテーテルと同じ様式で回転させながら前進後退させることによって、狭窄した通路を拡張するのに使用される。
【０１１７】
図１４のオクルーダ２１１は、ねじ２０３区分が２か所に設けられ、先細球頭部２０４の中間区分又は球頭状部分が均一な咬合面を提供するために滑らかで丸みを持ったまま残された構成である。このオクルーダは、通路の内部の或る地点に栓をするか又はそこを狭窄するのに使用され、前記地点から、本発明のねじ付きカテーテルと同じ様式で回転させながら前進後退させる。
【０１１８】
図１５のオクルーダ２２１は、ねじ区分２０３が２か所に設けられ、下側又は基端のねじ２０３はシャフト２０２の先細球頭部２０４より下に配置され、球頭部２０４の先細になっている下端部が均一な咬合面を提供するために滑らかで丸みを持ったまま残された構成である。このオクルーダは、通路の内部の端の頚部又は入口部に栓をするのに使用され、オクルーダは、下側のねじを通路に係合させたままにして先細の球頭部全体が通路に通されるまで回転前進させ、次いで、回転後退させて、先細の球頭部を通路の頚部に押し当てて着座させる。オクルーダは、その後、適切な場合は回転後退させる。
【０１１９】
ステント及び尿道内弁カテーテル  
次に、図１６乃至図１８に示すように、ポリウレタン材料で作られたねじ付き尿道ステント３０１は、均一ピッチの外ねじ３０３を備えた管３０２を有する。ねじ３０３は、図２並びに図３のカテーテル１０１のねじ１０３と同様であり、ねじの高さは、シャフト３０２の直径の少なくとも２０パーセント（２０％）であり、ねじピッチ対ねじ直径の円周の比は、１対１（１／１）より小さい。ねじ３０３の両端は、通路を通して容易に前進後退が行えるよう先細になっている。ステントの先端３０５には、内部肩部３０４（図１７）があり、内部肩部３０４より基端側には、比較的硬い材料のブッシング３０７（図１７）が配置されている。ブッシング３０７は、ブッシングの一端の全径から正六角形アパーチャ３０９まで伸びる先細の内部壁３０８を有する。コイル状の側壁補強部材３１０が、ステント３０１内のブッシング３０７と内部肩部３０４の間に取り付けられている。代わりの実施形態では、ねじの区分は、前立腺又は括約筋のような筋肉組織の帯域によって把持される「くびれ」を提供できるように、より低い高さ又はゼロ高さまでテーパが付いていてもよい。補強部材３１０は、管３０２の側壁と一体的に構成又はモールド成形することもできる。
【０１２０】
次に、図１９並びに図２０に示すように、スタイレット３３１は、図７のスタイレット１３１に類似していて、基端には、回転を与えるための把持部３３３を備え、先端には、本発明の方法によってステントを挿置するのに、ステント３０１のアパーチャ３０９の中へ非回転式に密に嵌め合わされる硬質の六角形の先端部３３４を備えた、可撓性を有するシャフト３３２を有する。スタイレットの可撓性シャフト３３２は、先端部３３４がアパーチャ３０９内に挿入されたときに、シャフトが、把持部３３３の指の回転力によって印加されるトルクに耐えて、そのトルクをねじ３０３に伝達できるだけの強度を有する。
【０１２１】
次に、図２１並びに図２２に示すように、ねじ付きステントフォロア３４１は、可撓性の管３４２を有しており、そのルーメン３４７（図２２）は、図１９のスタイレット３３１の先端３３４とシャフト３３２を容易に挿入できるような大きさに作られている。管３４２は、その基端３４６に加えられる指の回転力を受け、それを先端３４５に伝達することができるだけの捩り強さがある。ピッチが均一で巻き数が６を超えないねじ３４３が、先端３４５付近の管３４２の外表面に設けられている。ねじ３４３は、上で説明した図２並びに図３のねじ１０３と同じねじの高さ対管直径の２０パーセント（２０％）「規則」と、１対１（１／１）未満のねじピッチ対ねじ円周比に従っているのが望ましい。ねじ３４３の両端は、容易に前進後退できるように先細になっている。
【０１２２】
図１７並びに図２２に示すように、ブッシング３５１（図２２）は、ステント３０１のブッシング３０７のアパーチャ３０９と同じサイズである正六角形アパーチャ３５２と、その基端の全径からアパーチャ３５２まで伸ばされた先細の内部壁３５３と、を有する。ブッシング３５１は、さらに、その先端に、外側先細先端部３５４を有する。ブッシング３５１は、管３４２の先端３４５内に固着されており、先端部３５４は突き出ているので、ステントフォロア３４１とステント３０１をおおよそ軸方向に整列させて接触させると、ステントフォロア３４１の先端３４５が自動心出作用によってステント３０１の基端と嵌り合う。ステントフォロア３４１とステント３０１がこうして嵌り合うと、スタイレット３３１の先端部３３４（図１９）が、アパーチャ３５２（図２２）を通りアパーチャ３０９（図１７）の中まで伸ばされ、それによりステント３０１とステントフォロア３４１が固定回転関係に係止され得る。この状態で、スタイレット３３１の基端とステントフォロア３４１を回転させると、回転前進か回転後退かを問わず、ステント３０１が同時に回転する。スタイレット３３１を引き出し、ステントフォロア３４１を回転後退させれば、ステント３０１を搬入路内のどの地点であっても有用な地点に残留させることができる。
【０１２３】
次に図２３を参照すると、流れ制御のための手段を組み込んだねじ付き尿道内カテーテル３６１が断面図で示されている。カテーテルは、押出成形されたポリウレタン配管材料の一区分から作られた管３６２を有し、管の外表面には、ピッチが均一で巻き数が６を超えないねじ３６３が設けられている。ねじ３６３は、上で説明した図２並びに図３のねじ１０３と同じねじの高さ対管直径の２０パーセント（２０％）「規則」と、１対１（１／１）未満のねじピッチ対ねじ円周比に従っているのが望ましい。
【０１２４】
代わりの実施形態では、ねじ区分は、前立腺又は括約筋のような筋肉組織の帯域によって把持される「くびれ」を提供できるように、より低い高さ又はゼロ高さにテーパを付けてもよい。また、補強部材３７０の一部は、管３６２の側壁と一体的に構成又はモールド成形することもできる。
【０１２５】
カテーテル３６１の先端３６５には、内部肩部３６４があり、内部肩部３０４の基端側には、比較的硬い材料のブッシング３６７が配置されている。ブッシング３６７は、ブッシングの一端の全径から正六角形アパーチャ３６９まで伸びる先細の内部壁３６８を有する。
【０１２６】
コイル状の側壁補強部材３７０とチェックボール３７１が、内部肩部３６４とブッシング３６７の間に取り付けられており、コイル状部材３７０が、チェック弁の方式でボール３７１をブッシング３６７の上（基端）端に押し付けて圧迫状態に保持し、それによって、ステントのルーメン３７２を通る外向き（基端方向へ）の流れを防止している。コイル状部材３７０は、ボール３７１を上方に動かして圧縮させることができ、そうするとチェック弁が開いて流れが可能になる。
【０１２７】
次に図１９、図２１、図２３並びに図２４に示すように、スタイレット３３１の代わりの六角形先端部３８４は、わずかに凹んだ基端３８５と溝３８６を有する。カテーテル３６１のチェック弁を作動させるためにステントフォロア３４１と共に使用される場合、先端部３８４は、カテーテル３６１のアパーチャ３６９に挿通され、ボール３７１を上向きにコイル部材３７０に当てて押し、これによりチェック弁機能を開き、流体が溝３８６とアパーチャ３６９を通って外に流れステントフォロア３４１に入ってこれを通過することを許容するように構成されている。
【０１２８】
［恥骨上］  
次に図２５乃至図２９を参照していくが、図２５並びに図２６のねじ付き恥骨上カテーテル４０１は、可撓性の管４０２で作られ、ルーメン４０８が基端と先端の軸方向のポートを接続し、先端には均一ピッチの外ねじ４０３が設けられている。先に図２並びに図３のカテーテル１０１について説明したように、ねじピッチ４０３ｃ対ねじ直径４０３ｄの円周の比は、１対１（１／１）より遥かに小さい。管４０２は、基端で加えられる指の回転力を受容し、それを先端に伝達できるだけの捩り強さを有する。ねじ４０３の両端は、カテーテルを腹部に通して膀胱壁の中へ容易に前進及び後退させることができるように先細になっている。
【０１２９】
図２６並びに図２７に示すように、相対的なねじ高さ４０３ｂは、管直径４０２ｄの比率で言えば図２並びに図３のカテーテル１０１の場合より大きく、５０パーセント（５０％）より大きいのが望ましい。これは、恥骨上カテーテル４０１が内層に覆われていない経路に沿って腹部の中をねじ４０３の回転によって進められ、器官の壁３１の面を通過している管４０２にねじ４０３を足したものを包含しているはずの器官の壁３１の中に突き通された穴にねじ４０３のピッチ４０３ｃを係合させることによって、長手方向の変位に抗するよう固定されるからである。この点が、図４のカテーテル１０１の場合のように内層に覆われた通路内で利用できる長尺の把持面とは違っている。
【０１３０】
図２８に示すように、恥骨上カテーテル４０１を配備する方法は、トロカール４２１とカニューレ４２２を超音波又は蛍光透視法と共に使用して、腹壁２１を通り膀胱器官３１の中へ至る経路を作成し、トロカール４２１を抜去し、次いで、腹壁２１の外側から膀胱器官３１の内部へ伸びているカニューレ４２２に、ガイドワイヤ４２３を一時的に挿通する、という段階までは従来通りである。次いで、カニューレ４２２が引き出されると、ガイドワイヤ４２３が身体の外から腹壁２１を通り膀胱器官３１の中まで伸びる接続経路として残る。
【０１３１】
次に、恥骨上カテーテル４０１が、ガイドワイヤ４２３の基端に外挿してねじ込まれ、約１回転ずつ回転運動させながら緩やかに腹壁２１の中へ送りみが開始されると、最終的にねじ４０３がしっかりと係合する。カテーテルは、次いで、内層に覆われていない経路の中を、超音波、蛍光透視法、又は同等の手段で確認しながら、ガイドワイヤに沿って本発明の他のねじ付き装置と同じ方法で回転式に進められ、最終的にねじ４０３が器官３１の壁に約１巻き分貫入される。次いで、カテーテル４０１の先端が、従来型の接着剤手段又は同等の手段を使って非回転様式で腹壁２１に固定され、それにより、カテーテルの先端のねじ４０３は器官の壁３１の所定位置に係止される。次いで、ガイドワイヤ４２３が引き出される。こうして、ねじ付き恥骨上カテーテル４０１は利用可能になる。
【０１３２】
図２９に示すように、ねじ４０３の周囲に沿って配置されている選択点に埋め込まれた放射線不透過性マーカー４１１は、カテーテルの先端の向きと運動を外から（蛍光透視法又は他の手段を介して）検知及び監視することができるようにしている。
【０１３３】
ねじ付きカメラ導入器  
次に図３０、図３１Ａ並びに図３１Ｂを参照すると、平均的サイズの成人の結腸又は他の体内通路に適したねじ付きカメラ導入器カテーテル５００は、長さ約５フィートで管直径５０２ｄが１インチの柔らかい可撓性の管５０２につながっている球頭状の先端部５０１からなる。ルーメン５０８は、先端部５０１の先端の窓５１１の内部面から先端部５０１と管５０２を通り管５０２の基端まで伸びている。
【０１３４】
さらに図３０、図３１Ａ並びに図３１Ｂに示すように、下部ＧＩ（消化器系）用途では、望ましくは１．７５インチの均一ピッチ５０３ｃを有する外ねじ５０３は、窓５１１の縁から始まりゼロから約０．５インチの高さまでテーパが付けられ、管５０２に沿って基端方向に約８インチ以上続いている。
【０１３５】
導入器５００の或る代替実施形態では、比較的小さい先端部を有していてもよいが、外ねじについては、高さと合計円周は前記と等しいか又はそれ以上が維持される。導入器５００のもう１つの変型では、導入器の先端だけにねじ５０３を設けてもよく、ねじは、数回巻いた後に終端させ、例えば図２のカテーテル１０１と同じようにおおよそ８インチ又はそれ以下にしてもよい。
【０１３６】
ねじの外径は、０．５インチから２．５インチの範囲、より望ましくは１インチから２インチの範囲にあり、これは、本発明の回転前進式の技術に基づくねじによって成人の腸管の結腸の壁を広げて、同方式で有用な把持を実現できるだけの深さに係合させるのに望ましい外径である。他の体内通路においては、他のねじ外径を使用することが可能である。所望に応じ、螺旋ねじの従動部分は、ねじの高さがもっと低くてもよい。連続するねじのねじ高さについて、比較的低いねじ高さを採用すれば、先端に不当な前向きの圧力を働かせること無く、装置の従動長さの回転前進を支援することができる。
【０１３７】
さらに、本発明の技法、構造、及び方法論と一致して、ねじピッチ５０３ｃは、基端の回転作用力を、結腸又は他の体内通路の壁に対する摩擦よりも大きい前向きの力に変換するのに必要な梃子比を生み出すように設計されていることを明らかにしてゆく。この結果は簡単なベクトル分析で確かめられる。
【０１３８】
図３２に示すように、カメラアセンブリ５２０は、可撓性を有する中空の関節接合型背骨部５３１に取り付けられた照明レンズ５２２と撮像レンズ５２３を有するカメラ５２１からなる。カメラ５２１に接続されているケーブルハーネス５４１は、背骨部５３１の中を通り基端の外まで伸び、必要な電源、制御、及び表示用の機材につながっている。背骨部５３１は、可撓性と捩り強さを合体させた自在継手でつなぎ合わされた椎骨体５３２の鎖で作られている。
【０１３９】
図３３では、カメラアセンブリ５２０はカメラ導入器カテーテル５０１内に装着された状態が示されており、カメラ５２１は、窓を通して前方が見えるように、止めねじ５１２によって先端部５０１内に固定されている。カメラアセンブリとカテーテルは、ここでは、カメラ導入器システムとして組み合わされている。
【０１４０】
次に図３４に示すように、回転式容器兼小出しシステム５５０は、軸方向の開口部５５２を有するドラム５５１からなり、開口部の周りにハンドル５５３が回転可能に取り付けられて構成されている。カテーテル５０１は、適用時、ハンドル５５３を保持してドラム５５１を回すことによって回転式に小出しされながら、目標の結腸又は他の体内通路の中を回転式に進められる。
【０１４１】
理解頂けるように、本発明は、その他及び異なる実施形態が可能であり、その幾つかの詳細事項は、全て本発明から逸脱すること無く、明白な種々の点について修正を加えることができる。本発明の目的及び利点は、さらに、特許請求の範囲に具体的に指摘されている手段及び組み合わせによって実現及び獲得することもできる。従って、図面及び記述は、事実上、説明を目的としたものであって、限定を課すものではないと考えられるべきである。
【０１４２】
［回転結合部を備えたねじ付きカメラ導入器］  
図３０乃至図３４には、カメラアセンブリ５２０を例えば結腸などの体内通路内に配置するのに使用することができるねじ付きカメラ導入器カテーテル５００が示されている。螺旋型カメラ導入器の利点は、他にもあるが中でも特に大きな利点として、体内通路内の視覚化器械（例えば、内視鏡）を安定させて視覚化診断の成果を高める能力である。例えば、螺旋型カメラ導入器は、内視鏡が粘膜に覆われている結腸の曲がり付近を引かれている間、内視鏡が安定するように助けることができるので、重大な病変が見逃される恐れが減少する。
【０１４３】
しかしながら、（ｉ）ねじ付きカメラ導入器カテーテル５００と（ｉｉ）カメラアセンブリ５２０とによる上記アセンブリでは、カメラアセンブリ５２０は、長手方向にも回転方向にも、例えば、止めねじ５１２（図３３）によって、ねじ付きカメラ導入器カテーテル５００に固定されている。而して、カメラアセンブリ５２０を結腸又は他の体内通路において前進させるためにねじ付きカメラ導入器カテーテル５００を回転させると、カメラアセンブリ５２０も回転する。これは２つの問題を提起する。
【０１４４】
先ず、例えば結腸などの体内通路に通している最中にカメラアセンブリ５２０を回転させると、医療施術者が（ビデオモニタ上かアイピースを通してかのいずれかによって）観察する画像も回転することになる。この回転は、結腸通過中にカメラアセンブリが提供する視覚化物を医療施術者が効果的に使用するのを困難にする恐れがある。ごく稀に、この回転は、医療施術者が、配備中に方向感覚（即ち、上／下／左／右）を保つのを難しくする。この後者の点は、医療施術者が下部ＧＩ管道のような蛇行した通路内を操縦する場合、自分達の空間方向の感覚を頼りにすることが多いことから重大である。この画像を電子的に安定させるには、ただでさえ高価な内視鏡及び画像プロセッサシステムの中に追加の複雑な回路及び／又はコンピュータソフトウェアが必要になる。
【０１４５】
第２に、直腸に通している最中にカメラアセンブリ５２０を回転させると、カメラアセンブリの臍帯接続（例えば、光、電気、流体など）が複雑になる。限定ではなく一例として、そのような状況では、内視鏡の先端への水の接続部は、防漏出シールなどを使って、内視鏡の軸周りに自由に回転するように設計されなくてはならない。またしても、そのせいで、ただでさえ高価で複雑な内視鏡システムに、多大な費用と複雑さが加わることになる。
【０１４６】
上記の問題は、先端及び／又は基端（及び、必要なら、１つ又は複数の中間場所）に導入器の本体に対して回転自在の回転結合部を有する、新しいねじ付きカメラ導入器カテーテルによって解決が図られている。この新しいカメラ導入器カテーテルは、内視鏡の先端の上に被せ、内視鏡の先端及び／又は基端（及び、必要なら、１つ又は複数の中間部分）を回転結合部に固定して装着される。内視鏡は、回転結合部によってカメラ導入器カテーテルに取り付けられているために、カメラ導入器カテーテルは、内視鏡の回転を静止させたまま、カテーテルの軸周りに自由に回転させることができる。
【０１４７】
この新しい装置は、カメラ導入器カテーテルをその長手方向軸周りに回転できるようにし、それによって導入器（ひいては内視鏡）を例えば結腸などの体内通路において前進又は後退させことができるようにするが、但し同時に、カメラ導入器カテーテルの回転を内視鏡に伝達させないために、内視鏡（ひいては、その関係付けられる全ての入力及び出力接続）は、回転を静止させた状態に維持される。結果として、新しいカメラ導入器カテーテルは、医療施術者が、内視鏡の基端を慣習的な方法、即ち、回転固定状態に維持しながら、さらに内視鏡を本発明の回転前進式の方法論を使って配備できるようにする。これは、当技術における大きな進歩である。
【０１４８】
次に、図３５並びに図３６を見ると、カメラアセンブリ又は内視鏡７００を結腸又は他の体内通路に配置するのに使用されることができるねじ付きカメラ導入器カテーテル６００が示されている。
【０１４９】
本発明の一形態では、カメラ導入器カテーテル６００は、好ましくは、以下でさらに詳しく論じてゆくが、少なくとも１つの回転結合部６０５を設けたこととその使用法以外は、上で説明したカメラ導入器カテーテル５００と実質的に同じである。特に、カメラ導入器カテーテル６００は、一般的に管６１０を備え、その上に螺旋ねじ６１５が形成されている。管６１０は、管の基端に加えられた回転が管の先端に伝達されるだけの剛性を有し、同時に、管６１０は、管が結腸の湾曲部付近で曲がるだけの可撓性も有する。さらに、螺旋ねじ６１５は、カメラ導入器カテーテル６００を結腸内に配置するとき、カテーテルの基端を回転させると、螺旋ねじ６１５がカメラ導入器カテーテル６００を本発明の回転前進様式で結腸に沿って引いてゆける幾何学形状を有する。
【０１５０】
上で言及したように、カメラ導入器カテーテル６００は、少なくとも１つの回転結合部６０５を含んでいる。本発明の好ましい一形態では、回転結合部６０５は、管６１０の先端に回転可能に取り付けられるので、回転結合部は、管に長手方向に固定されている間も、管の軸周りに自由に回転することができる。管６１０と内視鏡７００の長さに沿って追加の回転結合部６０５を配置してもよい。
【０１５１】
好ましくは、カメラ導入器カテーテル６００は、管６１０を回転させるときの回転結合部６０５と管６１０の間の摩擦ができる限り小さくなるように構成されている。例えば、低摩擦ブッシング若しくは支承部を使用してもよいし、並びに／又は、適切な潤滑剤及び／若しくは被膜材を接触面に塗布してもよい。
【０１５２】
管６１０及び／又は内視鏡７００及び／又は回転結合部６０５の間の結合は、流体が侵入しないようにシールされることができる。これは、流体の進入に最も曝される部分である構造の先端では特に重要である。この特徴に対処した設計として、迷い路、点接触、及びワイパーの構成が挙げられる。例えば、図３６を見ると、ここでは１対のＯリングシール６２０、６２５が、構造体を流体の浸透に対してシールしている。
【０１５３】
カメラアセンブリ又は内視鏡７００は、内視鏡が、カメラ導入器カテーテル６００に長手方向に固定されるが、カメラ導入器カテーテルに対しては自由に回転できるように、回転結合部６０５に取り付けることを意図している。限定ではなく一例として、カメラアセンブリ又は内視鏡７００は、保護用リングライナ６３５を内視鏡７００に結着式に係合させる止めねじ６３０によって、回転結合部６０５に装着されることができる。止めねじ６３０へのアクセスは、管６１０の開口部６４０を介してもよい。
【０１５４】
以上の構造の結果、カメラアセンブリ又は内視鏡７００が、カメラ導入器カテーテル６００の少なくとも１つの回転結合部６０５に取り付けられることができるので、その後にカメラ導入器カテーテル６００を結腸内に設置し、カテーテルの管６１０の基端を回したときに、管６１０の先端が回転し、その結果、螺旋ねじ６１５がカテーテル（及び、ひいては内視鏡７００）を結腸に沿って先端方向に引いてゆく。しかしながら、同時に、回転結合部６０５は管６１０に対して自由に回転することができるので、内視鏡７００は、回転しているカテーテルに対して回転を静止したままである。このように、内視鏡７００は、内視鏡自体を何ら対応して回転させる必要無しに、本発明の回転前進式の技法を使って結腸内を進めることができる。結果として、医療施術者は、内視鏡を結腸内で前進させる（又は逆に回転させて後退させる）ときに、結腸の有効な視覚化を維持することができるようになる。さらに、内視鏡自体は回転しないので、内視鏡の臍帯接続（例えば、光、電気、流体など）は大幅に簡略化される。
【０１５５】
所望に応じ、ねじ付きカメラ導入器カテーテル６００には、複数の回転結合部を設けてもよく、その場合、追加の回転結合部はカテーテル６００の長さに沿った任意の場所に配置される。限定ではなく一例として、ここで図３５を見ると、比較的短尺の導入器カテーテル６００は、カテーテルの先端に１つ（即ち、６０５）とカテーテルの基端に１つ（即ち、６０５Ａ）の１対の回転結合部を利用してもよく、また、長尺の導入器カテーテル６００なら、追加の回転結合部（即ち、６０５Ｂ）を２つの端部の回転結合部の間に配置して、数個の追加的な回転結合部を含むようにしてもよい。これに関して、回転結合部６０５は、それらの構造次第で長さを変化させてもよいものと理解されることができる。而して、本発明の１つの形態では、単一の回転結合部６０５が管６１０の実質的に全長に沿って伸びていてもよい。
【０１５６】
また、所望に応じ、ねじ付き導入器カテーテル６００は、その管６１０の曲げ剛性を最小化しながら同管の捩り剛性を最大化することを意図した設計上の特徴を含んでいてもよい。限定ではなく一例として、ここで図３７を見ると、管６１０は、内側が渦巻き状又は波形になっている管６４５を備えた複合構造に形成してもよく、その場合、編組繊維層６５０の有無、及び可撓性の外側層６５５の有無は問わない。用語「波形管」は、複数の平行なリングを凹んだ谷底によって互いに接続して構成された管を指そうとする意図である。用語「渦巻き管」は、螺旋の構成にて管の全長に亘って延びる連続的な山頂及び谷底によって構成された管を指そうとする意図である。
【０１５７】
波形又は渦巻き状の管の捩り及び曲げ特性は、装置の長さに沿って幾何学形状及び／又は材料を変化させることによって最適化してもよい。そのような構造を使用した場合、内視鏡（図３７に図示せず）との面接触が減るように、１つ又は複数の低摩擦支承部６６０（図３７）をカテーテルの内部ルーメン内に配置してもよく、ここでは、支承部６６０は、渦巻き状又は波形管６４５の螺旋状の谷の中へ載るようになっている突起６６５を含んでいる。代わりの方法として、次に図３８を見ると、１つ又は複数の低摩擦支承部６７０を設けてもよく、ここでは、支承部６７０は、渦巻き状又は波形管６４５の螺旋の頂部を受け入れるための窪み６７５を含んでいる。
【０１５８】
もう１つの実施形態では、視覚化装置又は器具を管内に配置するときの摩擦が低減するように、波形管６４５の内径内に配置された滑らかなライナを使用している。このライナは、キンク無しに曲げられるように、低摩擦層を支持する弾性層のような複数の層で構成されていてもよい。ライナは、摩擦による引きずりを低減する被膜材を採用していてもよいし、潤滑剤を配合したコンパウンドで構成されていてもよい。限定ではなく一例として、１つのそのようなコンパウンドは、水和させるとライナ表面に潤滑性の膜が形成されるポリエチレンオキシドであってもよい。
【０１５９】
ねじ付きカメラ導入器カテーテル６００は、さらに、カテーテル６００を体内に配備するときに、回転結合部６０５を内視鏡から切り離すための機構を含んでいてもよい。この切り離しは、流体、機械、電気、又は他による手段を介して行ってもよい。例えば、図３９を見ると、内視鏡７００を回転結合部６０５に対し結着と解放をそれぞれ選択的に行えるように膀胱６８５を膨張させる及び萎せまるのに、流体ライン６８０が使用されている。
【０１６０】
ねじ付き導入器カテーテル６００は、内視鏡７００以外の被導入物を配備するのにも使えるものと理解されることができる。例えば、導入器カテーテル６００は、他の視覚化装置（例えば、超音波装置）、及びそれらに付属している臍帯物、例えば、流体分注器械、減圧スネア、外科用器具などを有する他の被導入物、を配備するのに使用してもよい。
【０１６１】
次に、図３９Ａ、図３９Ｂ、図３９Ｃ並びに図３９Ｄを見ると、中にライナ７２０が設けられ表面にハンドル７２５が配置された波形管７１５を有するねじ付きカメラ導入器システム７１０が示されている。波形管７１５の先端にはノーズコーン７３０が配置されており、そこから螺旋ねじ７３５が伸びている。ノーズコーン７３０は、波形管７１５の先端に固定されており、螺旋ねじ７３５は、波形管７１５の外壁に固定されている。
【０１６２】
複数の可撓性コレットフィンガ７４５を有するコレット７４０は、波形管７１５の基端に回転可能に取り付けられている。特に、コレット７４０は、複数の可撓性スナップ式係止フィンガ７５０を備えており、同フィンガは、（ｉ）波形管７１５のコレット本体の中への長手方向前進を受け入れるように撓むが、そこからの引き出しは防止し、（ｉｉ）波形管７１５がコレット本体に対して回転できるようにしている。コレットフィンガ７４５にはナット７５５が螺合している。ナット７５５は、環状の傾斜面７６０を含んでいるので、（ｉ）ナット７５５を先端方向にねじ込むと、コレットフィンガ７４５が半径方向内向きに締まり、ナット７５５を基端方向にねじ戻していくと、コレットフィンガ７４５が半径方向外向きに緩む。コレットフィンガ７４５の内側には弾性リング７６５が配置されている。
【０１６３】
この構造の結果、ノーズコーン７３０が内視鏡７７０の周辺の周りに滑動シールを提供している状態で内視鏡７７０は波形管７１５内へ挿入されてもよい。次いで、ナット７５５が先端方向にねじ込まれると、コレットフィンガ７４５、ひいては弾性リング７６５が閉まり、内視鏡７７０としっかり係合した状態になる。
【０１６４】
その後、ハンドル７２５を回して螺旋ねじ７３５を回転させると、システム７１０を体内通路内で動かすことができるようになる。この波形管７１５の回転が起こる際、内視鏡７７０は、自身がライナ７２０内で回転できる能力を有することと、コレット７４０が波形管７１５の先端に対して自由に回転できるおかげで、回転を静止させたままの状態でいることができる。
【０１６５】
而して、この構造では、ライナ７２０とコレット７４０は、波形管７１５が回転してシステムを体内通路内で進める際にも内視鏡７７０を回転が静止したままの状態に維持することのできる回転結合部を効果的に提供している。後に内視鏡７７０を波形管７１５から解放することが求められた場合は、ナット７５５を基端方向にねじ戻して、コレットフィンガ７４５、ひいては弾性リング７６５を緩めて、内視鏡７７０との把持係合を解く。
【０１６６】
内視鏡７７０は、その先端が波形管７１５の先端から突出し、内視鏡の角度の付いている部分が波形管７１５の先端より先に露出するように、波形管７１５内に固定してもよいものと理解されるべきである。代わって、内視鏡７７０は、内視鏡の先端が実質的に波形管７１５の先端より先に（例えば、６インチ以上）突出するように、波形管７１５内に固定してもよい。
【０１６７】
［螺旋ねじを備えた従来型の内視鏡］  
本発明の他の一形態として、次に、図３９Ｅを見ると、回転前進式の内視鏡７８０が示されており、同内視鏡は、内視鏡の外部側壁７９５の一部又は全部に沿って螺旋状のねじ山７９０を有する従来型の内視鏡７８５を備え、内視鏡を回すと、螺旋ねじが体内通路内で内視鏡を長手方向に動かすようになっている。換言すると、本発明のこの形態においては、螺旋状のねじ山７９０が内視鏡そのものの外面に配置されている。
【０１６８】
［近接照射療法と化学療法のための器械］  
癌性増殖の近接照射療法による治療は多くの文献に記されている。１つの手法に、放射線源を目標組織にできるだけ近付けて配置することを目的に、放射性物質を癌性増殖部に外科的に植え込む方法がある。そのような移植は、難しく、効果が発揮されるのに時間を要することがある。さらに、後に放射線の線量を修正したり被爆を短期間だけに限定したりする必要が生じた場合、植え込みプロセスを逆行させることは難しいことがある。
【０１６９】
従って、本発明によれば、近接照射療法の効果を発揮させるための、つまり、放射性物質を体内の目標部位へ向かわせ、さらに植え込みと抜去も容易にする、新規な器械が提供されている。  
このような新規な近接照射療法器械は、狙い撃ちされる解剖学的構造に応じ、カニューレ式又は非カニューレ式であることができる。
【０１７０】
限定ではなく一例として、新規な近接照射療法器械の１つの好ましい用途として、装置は、冒されている前立腺の領域に放射性物質を送達せねばならない前立腺癌の治療に使用してもよい。この場合には、一般に、放射性物質の送達を達成するために本発明のカニューレ形式を使用するのが望ましい。
【０１７１】
特に、この場合には、新規な近接照射療法器械は、図１６乃至図１８に示されているステント３０１のようなステント、及びこれと共に、図２１並びに図２２に示されている関係付けられたねじ付きステントフォロア３４１、並びに図１９並びに図２０に示されている関係付けられたスタイレット３３１を備えていてもよく、但し、ステントには放射性物質ＲＭ（図１７）がその構造内に組み込まれていることだけが異なる。結果として、近接照射療法ステント３０１を目標の前立腺腫瘍に隣接して尿道内に挿置すると、近接照射療法ステントが、所望の近接照射療法の効果がもたらされるように腫瘍を照射することができる。
【０１７２】
限定ではなく別の例として、新規な近接照射療法器械のもう１つの好ましい用途としては、装置は、治療用放射線を乳房に送達させねばならない乳癌の治療に使用してもよい。この症例では、本発明の非カニューレ形式を使用するのが望ましい。
【０１７３】
特に、この症例では、新規な近接照射療法器械は、図１３に示されている拡張器２０１のようなねじ付きの中実要素を備えていてもよく、但し、拡張器には放射性物質ＲＭ（図１３）が構造に組み込まれていてもよいことだけが異なる。結果として、近接照射療法拡張器２０１を（乳首の開口部を通してアクセスされる）乳房の道を通して乳房の内部へ進め、それにより目標の腫瘍に隣接して置くことができ、近接照射療法拡張器が腫瘍を照射することができる。
【０１７４】
さらに、前述の近接照射療法ステント３０１及び／又は前述の近接照射療法拡張器２０１の放射性物質ＲＭを、送達装置の壁から滲出させて目標の腫瘍へ送達させることのできる治療剤に置き換えることも考えられる。また、治療剤は、送達装置の壁に塗って目標の領域に送達させるようにしてもよい。
【０１７５】
［導管継手］  
次に、図４０を見ると、動脈又は静脈などの体内導管への迅速且つ効果的なアクセスを提供するのに使用できる導管継手８００が示されている。  
導管継手８００は、一般的に、本体８０５と栓塞子８１０を有する。本体８０５は、その先端に形成されている螺旋ねじ８１５と、本体８０５の螺旋ねじ８１５より基端側に形成されている拡大フランジ８２０とを有する。中央ルーメン８２５が本体８０５の長さを伸びている。ルーメン８２５を選択的に閉じることができるように、１つ又は複数の変形可能なシールの形態であるのが望ましい流体弁８３０が装置の先端に配置されている。
【０１７６】
栓塞子８１０は、本体８０５のルーメン８２５内に嵌ってルーメンを閉鎖するサイズに作られている。さらに、栓塞子８１０は、本体８０５に駆動係合するようになっており、それにより栓塞子８１０の回転が本体８０５の対応する回転に変換され得る。限定ではなく一例として、栓塞子８１０は、栓塞子ピン８３５を一対の本体耳部８４０に係合させることによって、本体８０５に駆動接続してもよい。
【０１７７】
考えられる１つの使用方法では、先ず、小さい穴が体内導管、例えば血管に作成される。次いで、栓塞子８１０を所定の位置に同伴した状態で、本体８０５の先端が穴の中へ挿入される。次に、栓塞子８１０が回され本体８０５が回転すると、ねじ８１５が本体８０５の先端を血管の内部に引いてゆく。フランジ８２０と血管の外表面が係合すると、本体８０５はそれ以上血管の中へ入っていけなくなる。フランジ８２０の係合は、血管の漏出に対するシール効果にも支援を提供することができる。このために、フランジ８２０は、追従性の良いシールを備えてもよいし、及び／又は、血栓形成剤を備えていてもよい。次いで、栓塞子８１０が抜去されるが、しかし、血液は、流体弁８３０が在るせいで本体８０５の基端から流れ出ない。その後、本体８０５を使って器具又は同様のものを血管の中へ導入する際は、流体弁８３０とルーメン８２５を通して器具又は同様のものを押し出すことができる。
【０１７８】
血管へのアクセスがもはや必要無くなれば、本体８０５は、例えば、栓塞子８１０を本体８０５内の中へ再度挿入して栓塞子ピン８３５を本体耳部８４０に係合させ、次に栓塞子の先端を適度に回転させて本体８０５を血管の壁からねじ外すことによって、血管から抜き出すことができる。
【０１７９】
本体８０５は、本体の中への組織の内成長があると、その後の抜去がより困難になることから、そのような内成長を最小限にするために目打ちされていないのが望ましい。さらに、本体８０５への組織の内成長を最小限にするのに各種材料及び／又は被膜材を使用してもよい。
【０１８０】
［アクセス装置］  
大腸の目視検査（結腸鏡）は、結腸鏡を腸の全長に逆行式に通す方法で、直腸から開始して盲腸まで前進させることにより行われる。  
標準的な実施法は、結腸鏡の挿入に先立ち、結腸鏡と入口部位（即ち、肛門括約筋）に潤滑剤を塗り、その後、押し出しと４分の１回転捻りを組み合わせた運動で結腸鏡を挿入する。
【０１８１】
この挿入は、患者が力を抜かず括約筋がきつく閉じたままの状態である場合は特に難しいことがある。また、痔疾があると、器具を肛門括約筋の中へ進めるときに不快感を引き起こすことがある。また、内視鏡を配備するのに螺旋ねじが付いている導入器（上で説明したねじ付き導入器カテーテル５００など）を使用するという点で、導入器の螺旋ねじの存在により、結腸鏡の直腸への挿入がより難しさを増す恐れがある。
【０１８２】
これに対処するため、次に、図４１乃至図４３を見ると、新規なアクセス装置９００が提供されている。アクセス装置９００は、中央ルーメン９０７を有するライナ９０５と、ルーメン９０７を選択的に閉鎖するサイズに作られている栓塞子９１０の、２つの主要な要素を有する。
【０１８３】
使用時は、最初に栓塞子９１０がライナ９０５のルーメン９０７内に配置され、次にアセンブリが直腸の中へ挿入される。アクセス装置９００が直腸に挿入されてしまったら、栓塞子９１０は抜去され、その結果、直腸内への管状のアクセスが得られる。こうして、結腸鏡を（必要なら、関係付けられているねじ付き導入器カテーテル５００共々）直腸の中へ自由に通すことができるようになる。
【０１８４】
ライナ９０５は、ライナを直腸の中へ進ませるのを支援するか又はライナをその場に維持するのを支援するための螺旋ねじ又は他の表面幾何学形状を、管の外部表面に有していてもよいし、そうでなくてもよい。さらに、ライナ９０５は、結腸鏡が直腸に入ってしまえば、処置部位から容易に抜去できるようライナが割けるようにする特徴を持たせた設計にしてもよい。
【０１８５】
［動力駆動装置］  
本発明の好ましい一形態として、次に、図４４を見ると、ねじ付きカテーテル１００５と動力駆動装置１０１０を備えたカテーテル挿入のシステム１０００が示されている。ねじ付きカテーテル１００５は、器具、例えば、内視鏡１０１３を、中に受け入れるための中央ルーメン１０１２を有する。動力駆動装置１０１０は、ねじ付きカテーテル１００５を回し、それによりねじ付きカテーテル１００５を体内通路に沿って前進させるのに使用することができる。
【０１８６】
動力駆動装置１０１０は、ねじ付きカテーテル１００５を体内通路の中へ最初に挿入する前か後のいずれかの時期に、ねじ付きカテーテル１００５に取り外し可能に取り付けることができる。さらに、動力駆動装置１０１０は、ねじ付きカテーテル１００５の長さに沿ったどの場所に設置してもよい。本発明の好ましい一形態では、動力駆動装置は、ねじ付きカテーテルの基端に設置されている。
【０１８７】
動力駆動装置１０１０に対するエネルギ入力は、１つの供給源であってもよいし、複数の供給源の組み合わせであってもよい。限定ではなく一例として、例えば、エネルギ源は、電気、油圧、空気圧、超音波、磁気、及び／又は他のエネルギ源を備えていてもよい。これらのエネルギ源は、カテーテル挿入のシステム１０００の長さに沿ったどの場所に配置してもよいし、遠隔場所に位置付けてもよいものと理解されることができる。（単数又は複数の）エネルギ源からのエネルギは、永久的か又は取り外し可能な連結機構を介して、回転する螺旋に伝達してもよい。この連結機構は、上で開示した回転支承機構と併用するのが望ましい。
【０１８８】
動力駆動装置１０１０は、装置を横断させる身体開口部に収容できるようにその外側サイズが最小化される構成に作ってもよい。さらに、動力駆動装置１０１０には、道具、流体、光学機器などを、ねじ付きカテーテルを通して外科処置部位へ通すためのルーメンを提供し得る「コアレスモータ」又は「コアレス駆動機構」を含めることができる。
【０１８９】
本発明のある好ましい実施形態では、動力駆動装置１０１０は、医師が、ユーザ制御部１０１５（図４４を参照）を使用することによって、直接、制御するようになっていてもよい。そのようなユーザ制御部１０１５は、切替装置がもはや係合状態でなくなると、動力駆動装置１０１０へのパワーを切断する瞬時切替のような切替装置を備えていてもよい。代わりに、ユーザ制御１０１５は、グラフィカルユーザインターフェース（ＧＵＩ）を備えていてもよい。
【０１９０】
意義深いことには、上述の切替装置はまた、体内通路内での回転導入器の前進後退を制御するために、カテーテルの回転方向を入れ換える（即ち、時計回り対反時計回り）ように設計されることができる。
【０１９１】
本発明の他の好ましい一実施形態では、上述の切替装置は、さらに、ユーザが、カテーテルの回転速度を変えられるようにするための「絞り弁」機構、並びに、装置を体内通路の中へ進める際に遭遇する抵抗の量を医師に知らせる力のフィードバック出力も組み入れることができる。このような機構は、不注意にも高い回転力がねじ付きカテーテルに印加されることを防止して患者が傷害を負う危険性を最小限に抑え得る安全手段を構成することができる。
【０１９２】
本発明の使用中に、動力駆動装置１０１０の一部（又は、さらに動力駆動装置１０１０全体）を体内通路の中へ進めることが必要な場合は、小直径の動力駆動装置１０１０を使用するのがよいものと理解されることができる。
【０１９３】
動力駆動装置１０１０は、洗浄可能で再使用可能であるように設計されてもよいし、あるいは動力駆動装置１０１０は、使い捨て可能に設計されることもできる。  
動力駆動装置１０１０は、（以上及び／又は以下に説明しているように）空気／水／吸引及び道具用の通路として、ねじ付きカテーテルを通って伸びる導管を追加的に備えたシステムで使用してもよいものと理解されることができる。
【０１９４】
動力駆動装置１０１０は、光ファイバケーブル又は電気信号を介し、カテーテルシャフトを通してデータを届ける画像化装置と共に使用してもよいものと理解されることができる。代わりに、画像信号がカテーテルの先端から遠隔の受信器に送信されるようにすれば、電気接続の必要が無くなる。同様に、動力駆動装置１０１０は、無線接続を介して遠隔制御されるようにしてもよい。
【０１９５】
本発明の他の一実施形態では、捩り剛性を有するスプラインの必要性が無くなるように、反対方向に回転する２つの反対に巻いている螺旋区分を使用することもできる。この実施形態は、一体型電力供給駆動機構と、遠隔的に制御される（即ち、無線である）機械化された外科処置道具と、無線画像送信器と共に組み立てて、非係留式の器具を実現してもよい。この器具なら、駆動させて体内管腔の中へ入れれば、診断又は治療処置は全て無線（例えば、遠隔）制御を介して行えるようになる。
【０１９６】
哺乳類の管路、胆管、又は可撓性を有するシャフトでの進入法が有利である体内の他の区域のような、他の体内通路にアクセスするには、小直径の螺旋カテーテル１００５を使用してもよい。
【０１９７】
［洗浄システム］  
下部消化器官の病態を適切に診査及び治療するのに、通常、患者は糞便を除去するために瀉下処置を受ける。この処置が首尾よく行われないと、体内通路を鮮明に映し出すのは一般に非常に難しくなる。このことは、解剖学的異常が内視鏡から隠れてしまう可能性があることから、非常に望ましくない。
【０１９８】
現在の処置では、患者の前処理には、液体とクエン酸マグネシウムのような瀉下剤を大量に飲み干すことが伴う。これにより要求されている洗腸が引き起こされるが、それは飲み干した後何時間にも及ぶ不快な痙攣を伴う。患者は、これが可撓性内視鏡を受ける場合の最もいやな事項の１つであることを訴えている。実際、患者の中には、この不快な処置のせいで結腸内視鏡を受けることを思いとどまる者もいる。代替法である結腸の浣腸は、内視鏡に先立ち管腔の中を空けるには一般に適切でないことも指摘しておく。
【０１９９】
以上の欠点を克服するため、洗浄システムを組み込んだねじ付きカテーテル１１０５を有する回転前進式カテーテルシステム１１００（図４５）が、体内通路で内視鏡の前方からカスを取り除くために開発された。本発明の１つの形態では、洗浄システムは、回転前進式カテーテル１１０５を通って伸びる２本以上のルーメン１１１０を有する。一方のルーメン１１１０Ａは、流体源１１１５からの流体を内視鏡１１２０前方の領域に搬送し、糞便１１２３を砕いて、内視鏡の前方から流し去られるようにする。第２のルーメン１１１０Ｂは、例えば、吸引源１１２５により供給される吸引を介して、体内通路から流体（及び糞便カス）を抜き出す。
【０２００】
本発明の一実施形態では、結腸洗浄プロセスを支援するため、体内通路に進入させる流体の速度が上がるように、ねじ付きカテーテルの留置先端部に噴射を設けてもよい。さらに、これらの噴射が吸引ルーメンの中へ戻るように狙いを付ければ、糞便を除去するための吸引性を高めることができる。
【０２０１】
以上に説明した洗浄システムは、以上に説明したカメラ導入器と併用することもできるし、及び／又は、体腔に外科用器械を挿入することを必要とする処置で、体腔を洗浄するのが有利である処置に使用することができるものと理解されることができる。
【０２０２】
好ましい泌尿器ステント  
次に、図４６を見ると、本発明に従って形成された１つの好ましい泌尿器ステントの構造が示されている。  
本発明の好ましい一形態では、泌尿器ステント１２００は、（ｉ）インプラント構成要素１２０５（即ち、ステント）と、（ｉｉ）送達要素１２１０（即ち、インプラント構成要素を所定の位置に送達する要素）と、（ｉｉｉ）接続／切断要素１２１５（即ち、送達及び／又は回収要素がステントとインターフェースできるようにする要素）と、（ｉｖ）回収要素１２２０（即ち、ステントの体内からの抜去を可能にする要素）とを有する。
【０２０３】
本発明のステントインプラントは、ステントが配備後に下流に移動する（即ち、膀胱から離れる）のを防止するため、膀胱の中へ広がる、事前に付形された「Ｊ」字部、バルーン、及び／又は突起１２２５を、ステントの先端に備えてもよい（図４６にはバルーン１２２５が示されている）。ステントの先端には、加えて、他の突起１２３０が設けられているのが望ましい。これらの追加的な突起は、好ましくは、フィンガ、ファイバ、フラップ、ディスクなどの形態で、ステントが膀胱に向けて移動するのを食い止めるように外向きに伸びている。これらの追加的な突起１２３０は、通常、ステントが適切な場所に送達された後、膨潤（例えば、液体吸収）、熱、蓄積エネルギ、電気／電気信号、アブレーション、及び／又は当技術で既知の他の方法によって、広げられるか又は露出するように構成されている。
【０２０４】
送達は、ステントに、ステント及び従動の送達システムを適切な場所まで前進させる螺旋１２３５を設けることで容易になる。適切な場所は、尿の流れにより確認することができ、即ち、いったんステントが膀胱まで伸びたら尿が流れるはずである。代わりに、従来の画像化方法を使用して、場所を確認することもできる（例えば、Ｘ線、超音波など）。ステントは、尿道内で前立腺に隣接して外括約筋の膀胱側に適切に位置付けられたら、送達要素１２１０から切り離される。
【０２０５】
ステント１２００の送達要素１２１０及び／又は回収要素１２２０に対する接続と切断は、無線信号、ワイヤ又はケーブルを押す／引く、バルーン又は膀胱を膨らませる／萎ませる、螺合要素を締める／緩める、熱膨張／熱収縮、膨潤／収縮、オン／オフ先細要素、磁化／消磁、巻き付け／巻き付け解除要素、貼着／剥離、握る／放す、及び／又は本開示に鑑みて当業者に自明になるであろう他の方法を介して行うことができる。なお、これに関し、接続／切断要素１２１５の形状は、一般に非円形であり、六角形、方形、三角形、スロット付き、星形、戻り止め付きの穴などであってもよい。
【０２０６】
なお、使用中、金属又は非金属の係留紐１２４０は、送達時はその場に維持され、その後、必要に応じ、ステント１２００を抜去する場合に回収要素１２２０をステントに接続するためのガイドとして機能させることができる。回収要素１２２０は、回収要素１２２０の先に立ってステントまで進められるガイドワイヤによって、ステント１２００まで案内される。  
本発明の好ましい一形態では、ステントは、抜去の前に２つ以上の部品片に分解又は分離されてもよい。
【０２０７】
［好ましい卵管カテーテル構造］  
次に、図４７を見ると、本発明に従って形成された１つの好ましい卵管カテーテル１３００が示されている。  
本発明の好ましい一形態では、卵管カテーテル１３００は、表面に螺旋ねじ１３１０が形成されている本体１３０５を有する。本体１３０５と螺旋ねじ１３１０とは、卵管内に配置できるサイズに作られている。
【０２０８】
［小腸に適用するためのねじ付きカメラ導入器システム］  
次に、図５６乃至図６２を見ると、小腸にアクセスして、小腸内に内視鏡７７０Ａを配置するのに使用される螺旋ねじ付きカメラ導入器システム７１０Ａが示されている。上で論じたように、螺旋形のカメラ導入器７１０Ａの大きな利点は、視覚化及び診断の成果を改善するのみならず療法のための安定したプラットホームを提供することを目的として、視覚化器械（例えば、内視鏡７７０Ａ）を体内通路（即ち、小腸）内で制御（縦方向と回転方向の両方に）できるようになっていることにある。一例として、これに限られるわけではないが、螺旋形のカメラ導入器システム７１０Ａは、小腸の蛇行して傷つき易い解剖学的構造の中へ挿入する間、及びそこから引き出す間、内視鏡が安定するように助力することができる。
【０２０９】
カメラ導入器システム７１０Ａは、以下でさらに詳しく論じるように、順行式又は逆行式のいずれかの様相で小腸の用途に使用されるように特に構成されている点を除き、上で論じたカメラ導入器７１０に概ね類似している。
【０２１０】
特に、カメラ導入器システム７１０Ａの螺旋ねじには、好ましくは半卵形断面ねじ輪郭、即ち、図５７に示す「郵便受け」の形状が設けられている。螺旋ねじ７３５Ａをこのような半卵形の「郵便受け」の形状を有するように成形することで、小腸への及び小腸を通る前進をより容易で外傷の少ないものにすることができる。螺旋ねじ７３５Ａは、所望の機能特性を最適化するために、代わりの幾何学形状の輪郭を持たせてもよいものと理解されることができる。限定ではなく一例として、カメラ導入器システム７１０Ａには、（ｉ）非対称断面を有する螺旋ねじ、又は（ｉｉ）螺旋の長さに沿って輪郭が変化している螺旋ねじなどを設けてもよい。
【０２１１】
さらに、必要なら、螺旋ねじは、組織に係合したときに部分的に変形できるように形成してもよく、そうすれば、例えば、回転前進処置又は回転襞付け処置時に、組織により沿わせ易く外傷性のより低い係合を提供できるようになる。換言すると、螺旋ねじは、組織に係合したときに多少変形することで、組織により沿わせ易く外傷性のより低い係合が生まれるように作ってもよい。無論、螺旋ねじは、部分的に変形可能であるとしても、カメラ導入器システムを解剖学的構造を通して前進させるか（回転前進処置の場合）又は小腸組織を波形管上に襞付けする（回転襞付け処置の場合）ことができるだけの構造的完全性をなお保持していなくてはならない。限定ではなく一例として、この「部分的に変形可能な」ねじの特性は、螺旋ねじに中空構造を持たせるよう成形することによって提供してもよい。図５７参照。
【０２１２】
上記に加え、カメラ導入器システム７１０Ａを逆行式進入法ではなくて順行式進入法を使って前進させてもよいことから、カメラ導入器システムの基端は、適用するのにより適切で患者に対する外傷が少なくなるように特別に構成されている。特に、患者の喉への外傷を低減するために、カメラ導入器システムの基端の処置中に喉に触れる場所に、無外傷性ジャケットを被せてもよい。
【０２１３】
使用時、順行性の小腸の処置において、カメラ導入器システム７１０Ａは、食道を下って胃を通り小腸の中に進められる。図５６並びに図５８を参照。これは、内視鏡７７０Ａを波形管内に、内視鏡の先端が実質的に波形管の先端よりも先に（例えば、６インチ程度）突き出るように固定した状態で行われるのが望ましい。
【０２１４】
小腸の中に入ったら、次に図５９乃至図６２に示すように、カメラ導入器システム７１０Ａが回転させられて進められるにつれ、小腸組織が螺旋ねじ７３５Ａの外表面上に手繰り寄せ始められる。小腸の結合組織、即ち、腸間膜は、非常に可動性が高く、組織は前進するカメラ導入器システム７１０Ａのシャフト上に容易に手繰り寄せられ、実質的に「襞が付いてゆく」。
【０２１５】
小腸の組織をカメラ導入器システム７１０Ａ上に襞状に手繰り寄せることによって、医師には、従来の小腸内視鏡送達システムを用いては実行不可能とされていた、おおよそ６ｍの小腸をより効率的に横断することが可能になる。
【０２１６】
いったんカメラ導入器システムが小腸内の所望の場所又は小腸内のアクセス可能な最遠点まで進められると、ナット７５５Ａを基端方向に緩めて外すことができるようになる。これにより、コレットフィンガ７４５Ａ、ひいては弾性リング７６５Ａが開き、その結果、内視鏡７７０Ａが波形管７１５Ａから自由になる。内視鏡７７０Ａは、その後、波形管７１５Ａの外に伸ばされてさらに小腸に進められ得る。カメラ導入器システム７１０Ａに伸ばせる内視鏡という特徴を備えたことは、小腸のような体腔を横断する場合の難しさを考えると、特に有利であり得る。
【０２１７】
カメラ導入器システム７１０Ａは、医師が小腸にアクセスし、これを横断するのに要る時間を大幅に短縮する。小腸組織が螺旋ねじ７３５Ａに沿って襞が付くように手繰り寄せられることによって、外科医は、従来の装置と方法が要する時間の半分より少ない時間で小腸を通って装置を前進させることができる。これは、処置時間短縮のおかげで（ｉ）傷つき易い小腸組織が襞状に折り重ねられている（そして、その結果、損傷又は壊死を生じる恐れのある）時間の長さが短くなり、（ｉｉ）患者に麻酔を掛けておく必要のある合計時間の長さが短くなり、及び（ｉｉｉ）医師はこれらの処置を、それを必要とする他の患者で多くこなせるようになる。
【０２１８】
動力螺旋駆動装置を全長の途中に有するねじ付きカメラ導入器システム  
以上の説明においては、回転前進式カテーテル挿入システムが、螺旋ねじが表面に配置された細長い管を概ね備えており、管の実質的に全長が、所望の回転前進作用を達成するために回転させられる。ここで図６３に目を向けると、例として、これに限られるわけではないが、ねじ付きカメラ導入器システム７１０Ａが、螺旋ねじ７３５Ａが表面に配置された管７１５Ａを概ね備えており、管７１５Ａの実質的に全長が、所望の回転前進作用を達成するために回転させられる。
【０２１９】
次に図６４に目を向けると、本発明の別の形態において、動力螺旋駆動装置を備えて形成され、そのような動力螺旋駆動装置がねじ付きカメラ導入器システムの全長の途中に位置している点を除き、上述したねじ付きカメラ導入器システム７１０Ａと概ね同様の新規なねじ付きカメラ導入器システム７１０Ｂが示されている。
【０２２０】
より詳しくは、本発明のこの形態においては、新規なねじ付きカメラ導入器システム７１０Ｂが、好ましくは３つの領域、即ち非回転先端領域Ｓ１と、回転可能な中間領域Ｓ２と、非回転の基端領域Ｓ３とを備えたシャフトＳを有する。内視鏡７７０Ｂが、図６４に示されている様相で、好ましくは非回転の先端領域Ｓ１の先端を過ぎて或る程度の距離だけ延びている。
【０２２１】
回転可能な中間領域Ｓ２が、螺旋ねじ７３５Ｂを保持している。回転可能な中間領域Ｓ２を回転させる動力は、ねじ付きカメラ導入器システム７１０Ｂの基端から、非回転の基端領域Ｓ３を介して、回転可能な中間領域Ｓ２に伝えられる。これに限られるわけではないが、例として、動力を、非回転の基端領域Ｓ３の内側に同軸に配置された中空の回転可能な管を介して、回転可能な中間領域Ｓ２に伝達することができる。あるいは、上述したように、カテーテル挿入システムの全長のどこかに位置する種々の動力源によって、回転可能な中間領域Ｓ２に動力を伝えることができる。
【０２２２】
使用時、ねじ付きカメラ導入器システム７１０Ｂは、ねじ付きカメラ導入器システム７１０Ａと同じ方法で、小腸（又は、他の体内の通路）に進められる。ひとたびねじ付きカメラ導入器システム７１０Ｂが小腸（又は、他の体内の通路）に進められると、回転可能な中間領域Ｓ２が回転させられ、螺旋ねじ７３５Ｂによって小腸（又は、他の体内の通路）の組織が非回転の基端領域Ｓ３に集められ、襞状にされる。集められて襞状にされた小腸（又は、他の体内の通路）の組織を非回転の基端領域Ｓ３から解放したい場合には、回転可能な中間領域Ｓ２を、単純に反対の回転によって回転させることができる。
【０２２３】
所望であれば、非回転の先端領域Ｓ１を比較的短くなるように形成でき、非回転の基端領域Ｓ３を比較的長くなるように形成することができる。  
あるいは、所望であれば、非回転の先端領域Ｓ１を完全に省略してもよく、その場合には、シャフトＳは、回転可能な先端領域及び非回転の基端領域という２つの領域だけを備えた。  
所望であれば、組織を保護するために、トルクリミッターを設けることもできる。
【０２２４】
さらに、所望であれば、シャフトの全長において、２つ以上の回転可能な中間領域Ｓ２を、好ましくは非回転のシャフトの領域によって隔てて備えたことができる。
【０２２５】
また、所望であれば、組織の異なる領域に選択的に係合するように、シャフトの全長に沿って、回転可能な中間領域Ｓ２の左回りと右回りの回転を組み合わせて設けることが可能である。例えば、１つの回転可能な領域を大腸に係合するように構成し、別の回転可能な領域を小腸に係合するように構成することができる。複数の回転可能な中間領域Ｓ２を設ける場合には、それぞれの領域を残りの回転可能な中間領域Ｓ２と同時に操作することができること、即ち、複数の回転可能な中間領域Ｓ２のそれぞれを、互いに独立して回転させることができることが重要であることに留意されたい。限定ではなく一例として、独立して操作可能な２つの回転可能な中間領域Ｓ２をシャフトの全長に沿って設けることができ、最近位の回転可能な中間領域Ｓ２を、大腸に係合してシャフトを大腸に沿って前進させるように構成し、最遠位の回転可能な中間領域Ｓ２を、小腸に係合して小腸をシャフト上で襞状にするように構成することができる。
【０２２６】
上述のように、ひとたびねじ付きカメラ導入器システム７１０Ｂが小腸（又は、他の体内の通路）に進められると、回転可能な中間領域Ｓ２が回転させられ、螺旋ねじ７３５Ｂによって小腸（又は、他の体内の通路）の組織が非回転の基端領域Ｓ３に集められ、襞状にされる。対照的に、伝統的なワンピースのねじ付きカメラ導入器システム７１０（例えば、図６３）が小腸（又は、他の体内の通路）を通って進められるときには、ねじ付きカメラ導入器の全長が回転させられ、ねじ付きカメラ導入器の全長において螺旋ねじによって小腸（又は、他の体内の通路）の組織が集められ、襞状にされる。
【０２２７】
ねじ付きカメラ導入器の全長が回転しているため、ねじ付きカメラ導入器システムに組織がどんどん襞状にされるにつれて、ねじ付きカメラ導入器システムと襞状にされた組織との間の摩擦が高まる可能性がある。この摩擦が、最終的に、ねじ付きカメラ導入器システムに襞状にすることができる小腸（又は、他の体内の通路）の組織の量を制限し、小腸（又は、他の体内の通路）の曲がりくねった経路を通っての操縦及び前進を、次第に困難にする可能性がある。
【０２２８】
ねじ付きカメラ導入器システムを、回転可能な中間領域Ｓ２並びに非回転の先端領域Ｓ１及び非回転の基端領域Ｓ３で構成することによって、小腸（又は、他の体内の通路）を、ねじ付きカメラ導入器システムが前進させられるときに、組織と組織を受け止める非回転の基端領域Ｓ３との間の摩擦が次第に増加するのを避けながら、非回転の基端領域Ｓ３に集めることができる。
【０２２９】
さらに、上述の構成を、内視鏡そのものの設計に統合できることも、理解すべきである。より詳しくは、ここで図６５乃至図７３に目を向けると、細長いシャフト１５０５を備えた新規な内視鏡１５００が示されている。次いで、細長いシャフト１５０５が、非回転の先端領域１５１０、回転可能な中間領域１５１５、及び非回転の基端領域１５２０という３つの領域を有する。回転可能な中間領域１５１５が、螺旋ねじ１５２５を保持している。
【０２３０】
回転可能な中間領域１５１５を回転させる動力は、内視鏡１５００の基端から、非回転の基端領域１５２０を介して、回転可能な中間領域１５１５に伝えられる。これに限られるわけではないが、例として、動力を、非回転の基端領域１５２０の内側に同軸に配置された中空の回転可能な管を介して、回転可能な中間領域１５１５に伝達することができる。あるいは、上述したように、カテーテル挿入システムの全長のどこかに位置する種々の動力源によって、回転可能な中間領域１５１５に動力を伝えることができる。
【０２３１】
ここで、図７４に目を向けると、本発明の好ましい一形態において、回転可能な中間領域１５１５を回転させるために歯車駆動シャフトアセンブリ１５３０を使用できることを、見て取ることができる。より詳しくは、歯車駆動シャフトアセンブリ１５３０が、大まかには、基端側の非回転領域１５２０の先端に回転運動を届けるための可撓性駆動シャフト１５３５と、螺旋ねじ１５２５を表面に保持したジャケット１５４５の内面に固定された周状の歯車１５４０と、可撓性駆動シャフト１５３５と周状の歯車１５４０との間で運動を伝達する１対の伝達歯車１５５０とを有する。この構成の結果として、可撓性駆動シャフト１５３５の回転がジャケット１５４５を回転させ、結果として螺旋ねじ１５２５を回転させる。
【０２３２】
実務においては、内視鏡１５００が曲がりくねった体内の通路においてかなりの長さを通過し、従って内視鏡の細長いシャフト１５０５が多数のねじり及び旋回を被らなければならない場合に、内視鏡の曲がりに起因するケーブル長の変化に対応するために、可撓性駆動シャフト１５３５においてスプライン接続部を設けることが望ましく、あるいは必須である可能性が、明らかになるかもしれない。
【０２３３】
使用時、内視鏡１５００は、ねじ付きカメラ導入器システム７１０Ａと同じ方法で、小腸（又は、他の体内の通路）に進められる。ひとたび内視鏡１５００が小腸（又は、他の体内の通路）に進められると、回転可能な中間領域１５１５が回転させられ、螺旋ねじ１５２５によって小腸（又は、他の体内の通路）の組織が非回転の基端領域１５２０に集められ、襞状にされる。集められて襞状にされた小腸（又は、他の体内の通路）の組織を非回転の基端領域１５２０から解放したい場合には、回転可能な中間領域１５１５を、単純に反対の回転によって回転させることができる。
【０２３４】
やはり所望であれば、非回転の先端領域１５１０を完全に省略してもよく、その場合には、シャフト１５０５は、回転可能な先端領域１５１５及び非回転の基端領域１５２０という２つの領域だけを備えた。
【０２３５】
次に、図７５乃至図８７に目を向けると、本発明の好ましい一形態においては、本発明に従って形成された新規な視覚化システム１６００が提供される。新規な視覚化システム１６００を、体内の通路（例えば、大腸、小腸、など）に位置し、あるいは体内の通路（例えば、大腸、小腸、など）を介してアクセスされる組織の検査、診断、及び／又は治療に使用することができる。新規な視覚化システム１６００は、小腸内に位置し、あるいは小腸を介してアクセスされる組織について、奥深い部位へのアクセスを容易にするために小腸を新規な視覚化システムの外面に襞状に集めつつ、且つ／又は襞状に集めた状態で、検査、診断、及び／又は治療を行うことに、特段の用途を有すると考えられる。
【０２３６】
さらに図７５乃至図８７に目を向けると、新規な視覚化システム１６００は、大まかには、内視鏡１６０５及び使い捨ての駆動管１６１０を有する。より詳しくは、内視鏡１６０５が回転可能な駆動カラー１６１５を備え、使い捨ての駆動管１６１０が１つ又は複数の螺旋ねじ１６２０を備え、使い捨ての駆動管１６１０が回転可能な駆動カラー１６１５に着脱可能に取り付けられることで、内視鏡１６０５が使い捨ての駆動管１６１０を回転させ、螺旋ねじ１６２０によって通路の組織と内視鏡との間に相対移動を生じさせることができる。このようにして、内視鏡１６０５が、奥深い部位の組織にアクセスすることができる。
【０２３７】
より詳しくは、内視鏡１６０５が、駆動管の先端に回転運動をもたらすための可撓性駆動シャフト１６２５を含んでいる。１対の伝達歯車１６３０、１６３５が、可撓性駆動シャフト１６２５と回転可能な駆動カラー１６１５との間で運動を伝達する。この構成の結果として、回転可能な駆動カラー１６１５を、可撓性駆動シャフト１６２５の基端に適切な回転運動を加えることによって、時計方向又は反時計方向のいずれかに駆動して回転させることができる。
【０２３８】
使い捨ての駆動管１６１０は、１つ又は複数の螺旋ねじ１６２０が外面に配置された細長い管１６４０を有する。螺旋ねじ１６２０は、既に述べた種類の螺旋ねじであり、即ち螺旋ねじ１６２０が体内の通路（例えば、小腸、大腸、など）の内壁に係合したとき、螺旋ねじ１６２０の回転運動によって通路の組織と駆動管（従って、内視鏡）との間に相対移動が生じる。このようにして、使い捨ての駆動管１６１０の回転によって、内視鏡１６０５を体内の通路に沿って前進又は後退させることができ、さらには／あるいは通路の組織を内視鏡に沿って移動させる（組織を内視鏡に集めてしわ状及び／又は襞状にするために）ことができる。
【０２３９】
使い捨ての駆動管１６１０は、内視鏡１６０５の回転可能な駆動カラー１６１５に着脱可能に取り付けられるように意図されている。本発明の好ましい一形態においては、使い捨ての駆動管１６１０が、バヨネット式の取り付け部によって回転可能な駆動カラー１６１５に着脱可能に取り付けられる。さらに詳しくは、本発明のこの形態においては、使い捨ての駆動管１６１０が、半径方向に延びるピン１６５０が取り付けられた延長部１６４１を含んでいる。段部１６５１が、半径方向に延びるピン１６５０の先端側に形成されている。圧縮ばね１６５５が、リング１６４５を段部１６５１から遠ざかるように基端側に付勢している。
【０２４０】
対応して、回転可能な駆動カラー１６１５が、リング１６４５に対向する段部１６５９と、ピン１６５０を受け入れるためのＣ字形のスロット１６６０とを有する。より詳しくは、Ｃ字形のスロット１６６０が、基端方向に延びている第１の部位１６６５と、周方向に延びている第２の部位１６７０と、先端方向に延びている第３の部位１６７５とを有する。この構成に照らし、使い捨ての駆動管１６１０を回転可能な駆動カラー１６１５に取り付ける場合に、使い捨ての駆動管１６１０の基端が、内視鏡１６０５の先端を越えて滑り込まされ、半径方向に延びるピン１６５０が段部１６５９に係合するまで基端方向に動かされる。次いで、基端方向への圧力を使い捨ての駆動管１６１０に加えた状態で、使い捨ての駆動管が、ピン１６５０がＣ字形のスロット１６６０の基端方向に延びている第１の部位１６６５に滑り込み、リング１６４５が段部１６５９に係合するまで、周方向に回転させられる。
【０２４１】
次いで、圧縮ばね１６５５の力に打ち勝ち、半径方向に延びるピン１６５０がＣ字形のスロット１６６０の基端方向に延びている第１の部位１６６５に沿って移動するよう、基端方向へのさらなる圧力が加えられる。次いで、基端方向への圧力を保ちつつ、使い捨ての駆動管１６１０が、ピン１６５０が周方向に延びている第２の部位１６７０に沿って移動して、先端方向に延びている第３の部位１６７５に整列するように、周方向に回転させられる。
【０２４２】
その後に、使い捨ての駆動管１６１０への基端方向の圧力が緩められ、圧縮ばね１６５５が使い捨ての駆動管１６１０を先端方向に移動させ、ピン１６５０が先端方向に延びている第３の部位１６７５を下方へ移動し、使い捨ての駆動管１６１０が回転可能な駆動カラー１６１５に固定される。使い捨ての駆動管１６１０の内視鏡１６０５からの取り外しは、対応する方法で行うことができ、即ち使い捨ての駆動管１６１０を基端方向に押し、使い捨ての駆動管１６１０を周方向に回転させ、使い捨ての駆動管１６１０への基端方向の圧力を緩め、ピン１６５０をＣ字形のスロット１６６０から出すことによって行うことができる。
【０２４３】
所望であれば、正反対に向かい合う１対のピン１６５０及び対応する１対の反対向きのＣ字形のスロット１６６０を、より確実なバヨネット式の取り付け部を生み出すために設けることができる。
【０２４４】
使用時、使い捨ての駆動管１６１０が内視鏡１６０５に取り付けられ、内視鏡が体内の通路に導入され、可撓性駆動シャフト１６２５が、回転可能な駆動カラー１６１５を回転させ、従って使い捨ての駆動管１６１０を回転させるために、第１の方向に回転させられる。結果として、通路の組織と使い捨ての駆動管（従って、内視鏡）との間に相対移動が生み出され、即ち体内の通路に沿った内視鏡１６０５の前進（又は、後退）及び／又は通路の組織の内視鏡への（又は、内視鏡からの）移動が生じる。
【０２４５】
内視鏡１６０５の先端が遠方の部位に達したとき、内視鏡を、体内の通路内に位置し、あるいは体内の通路を介してアクセスされる組織を検査、診断、及び／又は治療するために、技術的に周知の方法で使用することができる。その後に、内視鏡を、可撓性駆動シャフト１６２５を第２の反対の方向に回転させることによって遠方の部位から後退させることができる。装置を体内から引き出した後で、使い捨ての駆動管１６１０を内視鏡１６０５から取り外し、廃棄することができる。
【０２４６】
本発明の一形態では、螺旋ねじ１６２０は変形可能であってもよい。  
より詳しくは、小腸を調べるためには、視覚化システムが小腸まで前進する過程で狭くて蛇行した空間を通り抜けることが必要となる。場合によっては、（ｉ）小腸までの移動を容易にするための縮小形状と、（ｉｉ）その後、小腸の内部で所望の回転前進運動をもたらすための拡大形状とを呈することが可能な変形可能な螺旋ねじを視覚化システムに設けることが望ましいこともある。変形可能な螺旋ねじを有する視覚化システムは、小腸以外の体内の通路を横断するために使用することも可能であり、例えば、変形可能な螺旋ねじを有する視覚化システムは、消化管の他の部分や尿路などを横断するために使用することも可能である。
【０２４７】
そのために、視覚化システム１６００は、前記縮小形状及び前記拡大形状を所望の通りに実現することが可能となるように、中空状かつ膨張可能な変形可能な螺旋ねじ１６２０を備えることが好ましい。
【０２４８】
変形可能な螺旋ねじ１６２０は、小腸又は他の体内の通路への移動時は、縮小形状を提供するように構成される。ひとたび小腸（又は、他の体内の通路）の中に入ると、その後この縮小形状のねじを、小腸（又は、他の体内の通路）組織を手繰り寄せる、即ち、組織に襞を付けるために必要な拡大した「回転前進」形状を呈するように膨張させることが可能である。変形可能な螺旋ねじ１６２０の縮小形状は、小腸（又は、他の体内の通路）への移動時に、外傷性のより低い組織との係合を提供する。
【０２４９】
しかしながら、ひとたび視覚化システムが小腸（又は、他の体内の通路）の中に入り、変形可能な螺旋ねじ１６２０が拡大形状を呈すると、変形可能な螺旋ねじ１６２０は、視覚化システムを解剖学的構造を通って前進させるか（回転前進処置の場合）、又は小腸（又は、他の体内の通路）組織を視覚化システム上に襞付けする（回転襞付け処置の場合）ことができるだけの構造的完全性を保持していなくてはならないことに留意されたい。
【０２５０】
変形可能な螺旋ねじ１６２０は、さまざまな手段によって膨張させてよいことを理解すべきである。限定ではなく一例として、螺旋ねじ１６２０は、（ｉ）適切な膨張材料（例えば、さまざまな液体、気体又は固体）を、例えば、螺旋ねじに連結された１つ以上の導管を通して螺旋ねじ１６２０の内部に送り込むこと、（ｉｉ）エネルギ源（例えば、体熱又は電気）の影響を受けることで膨張する流体、などによって膨張させることができる。限定ではなく一例として、螺旋ねじ１６２０は、長手方向に延びる導管１６８０を用いて膨張させることができる。
【０２５１】
導管１６８０は内視鏡１６０５を通って延び、内視鏡の壁に形成された開口部１６８２及び螺旋ねじ１６２０の底部に形成された開口部１６８４と連通しており、それによって膨張材料が変形可能な螺旋ねじ１６２０の内部に導入される。好ましくは、使い捨ての駆動管１６１０の側壁に形成された取り付け部１６８８によって担持される１対のＯリング１６８６によって、膨張材料が長手方向に延びる導管１６８０から螺旋ねじ１６２０の内部へと進むときに、膨張材料が密封されることが確実となる。
【０２５２】
一使用形態例では、視覚化システム１６００を、上述のねじ付きカメラ導入器システム７１０Ａと実質的に同様の方法で小腸又は他の体内の通路まで前進させる。ひとたび小腸（又は、他の体内の通路）に入ると、変形可能な螺旋ねじ１６２０を、例えば上記長手方向に延びる導管１６８０を通して膨張させる。変形可能な螺旋ねじ１６２０を膨張させた後、視覚化システム１６００を回転させながら、小腸（又は、体内の他の通路）組織を螺旋ねじ１６２０の外表面上に手繰り寄せ始める。
【０２５３】
変形可能な螺旋ねじ１６２０は、選択的に膨張可能であると同時に選択的に収縮可能となるように構成されることを理解すべきである。このような収縮は、前記長手方向に延びる導管１６８０を通して螺旋ねじ１６２０から膨張材料を除去することにより行うことができる。この螺旋ねじ１６２０を収縮させる性能は、視覚化システムを小腸（又は、他の体内の通路）から除去すべき場合、及び／又は視覚化システムが小腸（又は、他の体内の通路）内でつかえてしまった場合、の状況下で極めて有利となり得る。また、この螺旋ねじ１６２０を収縮させる性能は、変形可能な螺旋ねじを急速に収縮させ、視覚化システムを小腸（又は、他の体内の通路）から迅速に除去することができるため、緊急事態においても有利となり得る。
【０２５４】
変形可能な螺旋ねじ１６２０は、さまざまな手段によって収縮させてよいことも理解すべきである。限定ではなく一例として、螺旋ねじ１６２０は、視覚化システム１６００の基端で吸引を行うことによって、又は膨張材料を螺旋ねじ１６２０の先端に形成された開口部（例えば、流路）から排出させるのに十分な量の圧力を視覚化システム１６００に通すことによって収縮させることができる。
【０２５５】
さらに、膨張材料が固体の場合、螺旋ねじ内に含まれる膨張材料を溶解させてから、その溶液を基端側に引き出す（又は、溶液を先端側に吐出する）ために、液体（例えば、水）を視覚化システム１６００に通すことによって、螺旋ねじ１６２０を収縮させることができる。より詳しくは、一実施形態では、変形可能な螺旋ねじ１６２０を固体（例えば、粉末）で満たし、その個体を液体（例えば、水）によって液体又はゲル状の濃度に溶解して、基端側に引き出す（又は、先端側に吐出する）ことができる。
【０２５６】
膨張材料が体腔内に排出される場合は、膨張材料は、視覚化システムから排出された後に体腔内で安全に受け入れられるように、生体適合性を有するものでなくてはならないことに留意されたい。
【０２５７】
螺旋ねじ１６２０は、視覚化システムの残りの部分から速やかに除去することができるように、さまざまな材料で形成するか、又はさまざまな手段によって視覚化システム１６００に取り付けてよいことも理解すべきである。一実施形態では、螺旋ねじ１６２０は、視覚化システム１６００から取り外された後に体腔内で溶解する中空又は中実の渦巻き部を含んでいてもよい。あるいは、螺旋ねじ１６２０は、耐水材料層で覆われた溶解可能な材料（例えば、コーンスターチ）で形成してもよい。その後、螺旋ねじを回転させずに引き出すために、液体（例えば、水）を管腔を通して注入して螺旋ねじを溶解させることができる。
【０２５８】
他の実施形態では、螺旋ねじ１６２０を、磁力で視覚化システム１６００に取り付けてもよい。  
他の実施形態では、螺旋ねじの内径を、螺旋ねじの外径と同等の又は外径を超えるレベルまで大きくしてもよい。それによって、高さの一様な構造が構築され、視覚化システムを体内から引き出すことが容易になる。
【０２５９】
さらに他の実施形態では、螺旋ねじ１６２０は、複数の小管で構成される中空又は中実の渦巻き部を含んでいてもよい。複数の小管は、接着剤又は溶剤で結合している。螺旋ねじは、接着剤又は結合材料の結合特性を変化させる物質にさらされると、溶解してその構成部材（例えば、小管）になる。
【０２６０】
さらに他の実施形態では、螺旋ねじ１６２０は、複数の部品片で構成される中空又は中実の渦巻き部を含んでいてもよい。複数の部品片は、多数のさらに小さな部品片に分離させることが可能であり、その後視覚化システム１６００から取り外された際に消化管を通過させることができる。
【０２６１】
さらに他の実施形態では、螺旋ねじ１６２０を視覚化システム１６００から取り外してから、薬剤の投与や、写真やビデオを撮影して治癒過程を監視するなどのために、体内にしばらくの間止めておいてもよい。螺旋ねじは、螺旋ねじが視覚化システム１６００から取り外された時点で体腔を通して螺旋ねじを操作するための係留紐を有していてもよい。
【０２６２】
［好ましい螺旋ねじ構造］  
本発明の以上の好ましい実施形態は、回転前進式カテーテル挿入のシステムの有効性を向上させることができる数多くの追加設計を含んでいる。これらの追加設計は、螺旋ねじ構造に関係があり得る。
【０２６３】
上で指摘したように、螺旋のねじ高さは、装置の前進後退特性に対する支援策として、その長さに亘って変化していてもよいし（例えば、図４８のシャフト１４０５に配置されている螺旋１４００）、前進と固定が最適化されるようにさまざまな場所の高さにテーパを付けてもよい（例えば、図４９参照）。さらに、本発明の別の実施形態によれば、螺旋は、所望の前進及び固定機能が発揮されるように、間抜きねじ又は一連のねじ区分を設けた構造でもよい（例えば、図５０参照）。ねじ要素は、管に取り付けてもよいし、管状装置の表面に配置される管状部材の直径部と一体にモールド成形してもよい。管状部材又は部材の諸区分は、いったん装置上に配置されたら半径方向の圧迫を提供し、使用中に保持機能を発揮するサイズに作ってもよい。代わりに、ねじは、管状装置の上に直にオーバーモールドで成形してもよい。
【０２６４】
［好ましい可変ピッチ螺旋構造］  
本発明の別の実施形態によれば、螺旋は、装置に対する組織（又は材料）の動き方が異なるように、装置の長さに沿って少なくとも２つの異なるねじピッチを持たせた構造にしてもよい（例えば、図５１のシャフト１４０５上に配置されている螺旋１４００を参照）。一例として、可変ピッチ螺旋構造は、冗長な結腸を内視鏡の上に手繰り寄せたり、又は結腸内の廃棄物を除去し易くしたりする上で有利である。また、可変ピッチ螺旋構造は、解剖学的構造内での装置の固定を最適化するのに使用することもできる。
【０２６５】
好ましいねじ表面幾何学形状  
本発明のもう１つの好ましい実施形態では、螺旋のねじ面は、装置の前進又は固定が向上するように、表面に突起及び／又は窪みを持たせた構造でもよい（例えば、螺旋１４００上の突起１４１０を示している図５２並びに図５３を参照）。
【０２６６】
必要なら、この幾何学形状部は、体内挿入後に表面の幾何学形状が変化するように、生体分解吸収性又は一時的な材料の中に封入してもよい。例えば、吸収性材料１４１５と非吸収性材料１４２０とから形成されている螺旋１４００が示されている図５４並びに図５５参照。
【０２６７】
ねじ断面は、さらに、体内管腔内での前進又は固定を増強するため、垂直方向中心線に対し非対称であってもよい。当該形状は、性能が向上するように有益な方法でねじを撓ませられるよう設計してもよい。
【０２６８】
［ねじ材料の属性］  
上で指摘したように、ねじ要素は、中実、中空であってもよいし、及び／又は流体が充填されていてもよい。ねじは、剛性を有する材料、弾性を有する材料、又は双方の材料の組み合わせで作られていてもよい。例として、これらに限られるわけではないが、ねじ要素は、ＰＶＣ、ポリウレタン、ＴＰＥ、シリコーン、ＴＦＥ、医用等級ステンレス鋼、タンタル、チタン、ニッケル−チタン合金などから形成してもよい。反対に、材料は、螺旋のねじ要素の抜去の必要性が無くなるように、特に生体吸収性のものを選定してもよい。代わりに、ねじ要素は、所望の複合的な属性、例えば、硬度、摩擦力、整合性、及び／又は放射線不透過性などが得られるように、少なくとも２つの異なる属性を有する材料から作ってもよい。
【０２６９】
［螺旋装置内蔵用センサ］  
本発明のもう１つの好ましい実施形態では、螺旋装置は、温度、圧力、放射能、位置、及び／又は処置中の診断的又は療法的処置についてのその他の状況のような状態を表示させるために１つ又は複数のセンサを備えていてもよい。
【０２７０】
［回転結合式設計］  
本発明のもう１つの実施形態では、結合部は、内視鏡又は装置に、さまざまな方法で固定してもよい。取り付けのための力は、例えば、機械力、油圧、空気圧、磁力、及び／又は接着力であってもよい。あるいは、半径方向の力を利用した設計を用いるなら、変形可能な要素を利用して摩擦式クランプを作り出し、これを逆にすると結合が外れるようにしてもよい。結合は、単一方向への回転（即ち、時計回り限定か反時計回り限定）を許容する一方向クラッチを組み入れたものを提供してもよい。
【０２７１】
１つの実施形態では、クラッチ方向は、一方向に前進させ反対方向に回して引き出すのがやり易くなるように、施術者によって変更されてもよい。もう１つの実施形態として、一方向オーバーライドクラッチは、左巻きに巻き付けられたばねを使用してもよい。これは、装置を前進させることを許容し、引き出す際は、ばねをわずかに巻き戻せばクラッチが外れてＩＤが広がり把持が阻止されるようにしている。他の一般に知られているクラッチ設計を結合部内に一体化することもできる。
【０２７２】
［回転支援具］  
カテーテルシステムの長さには、螺旋装置を容易に回転できるようにするため、人間工学に基づく単数又は複数の把持部を組み込んでもよい。これらの把持部は、永久的であってもよいし、剥ぎ取り式のような一時的なものにして、処置中に取り外し又は位置直しが行えるようにしてもよい。把持部は、弾性であっても剛性であってもよく、また、手にしっくり馴染むサイズに作られていてもよい。それらは、把持部内の動力駆動装置と一体化されていてもよい。
【０２７３】
［さらなる構造］  
当業者には本開示に鑑みて本発明のさらに別の実施形態が自明になるであろうと考えられる。本発明は、決して、ここに開示され及び／又は図面に示されている特定の構造に限定されるものではなく、本発明の範囲内のあらゆる修正又は等価物をも備えたものであると理解されることができる。
出願当初の特許請求の範囲に記載された発明を以下に付記する。
［１］遠隔位置にある体内の通路の内部を視覚化するための方法であって、前記体内の通路に配置される視覚化システムであって、体内の通路に配置するための視覚化システムを用意する工程であって、前記視覚化システムは、内視鏡と、使い捨ての駆動管と、前記使い捨ての駆動管を前記内視鏡の回転可能な駆動カラーに着脱可能に固定するための取り付け部とを具備し、前記内視鏡の前記回転可能な駆動カラーは、前記内視鏡に対して相対回転するように構成され、前記使い捨ての駆動管は、外面に変形可能な螺旋ねじが配置された細長い管を備えており、前記細長い管は、前記内視鏡と同軸に配置されるように構成されており、前記変形可能な螺旋ねじは、この変形可能な螺旋ねじが前記体内の通路の内部側壁に係合するように前記使い捨ての駆動管が前記体内の通路に配置されたときに、前記使い捨ての駆動管の回転によって前記使い捨ての駆動管と前記体内の通路の側壁との間に相対移動が生じるように、充分な構造的完全性及び充分な表面形状を有する、視覚化システムを用意する工程と、前記使い捨ての駆動管を、前記使い捨ての駆動管が前記内視鏡の前記回転可能な駆動カラーに固定されるように、前記内視鏡に同軸に取り付ける工程と、前記視覚化システムを、視覚化すべき部位から離れた位置にて、前記変形可能な螺旋ねじを縮小形状構成にした状態で、前記体内の通路に挿入する工程と、前記変形可能な螺旋ねじを、拡大形状構成に変換する工程と、前記使い捨ての駆動管を回転させて、前記視覚化すべき部位と前記視覚化装置とを近付ける工程と、前記視覚化装置を使用して、前記体内の通路の内部を視覚化する工程とを具備する方法。
［２］前記視覚化システムは、前記回転可能な駆動カラーを回転させるための可撓性駆動シャフトを有し、前記可撓性駆動シャフトは、前記内視鏡の基端と前記回転可能な駆動カラーとの間に延びている［１］に記載の方法。
［３］前記可撓性駆動シャフトは、前記内視鏡の内部に配置される［２］に記載の方法。
［４］前記視覚化システムは、前記可撓性駆動シャフトを回転させるためのモータを有する［２］に記載の方法。
［５］前記内視鏡の先端は、前記使い捨ての駆動管が前記回転可能な駆動カラーに固定に取り付けられたときに、前記使い捨ての駆動管から突出する［１］に記載の方法。
［６］前記取り付け部は、バヨネット式の取り付け部を有する［１］に記載の方法。
［７］前記バヨネット式の取り付け部は、前記使い捨ての駆動管及び前記回転可能な駆動カラーの一方に位置するピンと、前記使い捨ての駆動管及び前記回転可能な駆動カラーの他方に位置するスロットとを有する［６］に記載の方法。
［８］前記体内の通路は、消化管を含んでいる［１］に記載の方法。
［９］前記視覚化システムは、小腸に挿入される［８］に記載の方法。
［１０］前記体内の通路は、小腸、結腸、尿生殖路及び人工の通路からなるグループからの１つを含んでいる［８］に記載の方法。
［１１］前記視覚化システムは、順行性の方法で挿入される［８］に記載の方法。
［１２］前記視覚化システムは、逆行性の方法で挿入される［８］に記載の方法。
［１３］前記使い捨ての駆動管の回転により、前記体内の通路の一部分が前記視覚化システムに引き寄せられる［１］に記載の方法。
［１４］前記使い捨ての駆動管の回転により、前記視覚化システムが前記体内の通路に沿って前進する［１］に記載の方法。
［１５］前記変形可能な螺旋ねじは中空あって、さらに、前記変形可能な螺旋ねじは、膨張材料を前記螺旋ねじの内部に導入することによって拡大形状構成に変換される［１］に記載の方法。
［１６］前記膨張材料は、液体を含む［１５］に記載の方法。
［１７］前記膨張材料は、気体を含む［１５］に記載の方法。
［１８］前記膨張材料は、固体を含む［１５］に記載の方法。
［１９］前記変形可能な螺旋ねじを、前記拡大形状構成から前記縮小形状構成に変換する工程と、前記視覚化システムを、前記体内の通路から引き出す工程とをさらに具備する［１］に記載の方法。
［２０］前記変形可能な螺旋ねじは中空であって、前記変形可能な螺旋ねじが前記拡大形状構成の状態にあるとき、前記変形可能な螺旋ねじの内部は膨張材料を有している［１９］に記載の方法。
［２１］前記膨張材料は、前記変形可能な螺旋ねじが前記縮小形状構成に変形するときに、前記変形可能な螺旋ねじから取り除かれる［２０］に記載の方法。
［２２］遠隔位置にある体内の通路の内部を視覚化するための方法であって、前記体内の通路に配置される視覚化システムであって、体内の通路に配置するための視覚化システムを用意する工程であって、前記視覚化システムは、内視鏡と、使い捨ての駆動管と、前記使い捨ての駆動管を前記内視鏡の回転可能な駆動カラーに着脱可能に固定するための取り付け部とを具備し、前記内視鏡の前記回転可能な駆動カラーは、前記内視鏡に対して相対回転するように構成され、前記使い捨ての駆動管は、外面に変形可能な螺旋ねじが配置された細長い管を備えており、前記細長い管は、前記内視鏡と同軸に配置されるように構成されており、前記変形可能な螺旋ねじは、前記変形可能な螺旋ねじが前記体内の通路の内部側壁に係合するように前記使い捨ての駆動管が前記体内の通路に配置されたときに、前記使い捨ての駆動管の回転によって前記使い捨ての駆動管と前記体内の通路の側壁との間に相対移動が生じるように、充分な構造的完全性及び充分な表面形状を有する、視覚化システムを用意する工程と、前記使い捨ての駆動管を、前記使い捨ての駆動管が前記内視鏡の前記回転可能な駆動カラーに固定されるように、前記内視鏡に同軸に取り付ける工程と、前記視覚化システムを、視覚化すべき部位から離れた位置にて、前記体内の通路に挿入する工程と、前記使い捨ての駆動管を回転させて、前記視覚化すべき部位と前記視覚化装置とを近付ける工程と、前記視覚化装置を使用して、前記体内の通路の内部を視覚化する工程と、前記変形可能な螺旋ねじを、縮小形状構成に変換する工程と、前記視覚化システムを、前記体内の通路から引き出す工程とを具備する方法。
［２３］組織を視覚化するための装置であって、回転可能な駆動カラーを有する内視鏡と、使い捨ての駆動管と、前記使い捨ての駆動管を前記内視鏡の前記回転可能な駆動カラーに着脱可能に固定するための取り付け部とを具備し、前記内視鏡の前記回転可能な駆動カラーは、前記内視鏡に対して相対回転するように構成され、前記使い捨ての駆動管は、外面に変形可能な螺旋ねじが配置された細長い管を備えており、前記細長い管は、前記内視鏡と同軸に配置されるように構成されており、（ｉ）前記変形可能な螺旋ねじは、縮小形状構成と拡大形状構成との間で変換可能であり、（ｉｉ）前記拡大形状構成の状態で、前記変形可能な螺旋ねじが前記体内の通路の内部側壁に係合するように前記使い捨ての駆動管が体内の通路に配置されたときに、前記使い捨ての駆動管の回転によって前記使い捨ての駆動管と前記体内の通路の側壁との間に相対移動が生じるように、充分な構造的完全性及び充分な表面形状を有しており、前記使い捨ての駆動管は、前記使い捨ての駆動管が前記内視鏡の前記回転可能な駆動カラーに固定されるように、前記内視鏡に同軸に取り付けられる装置。
［２４］前記装置は、前記回転可能な駆動カラーを回転させるための可撓性駆動シャフトを有しており、前記可撓性駆動シャフトは、前記内視鏡の基端と前記回転可能な駆動カラーとの間に延びている［２３］に記載の装置。
［２５］前記可撓性駆動シャフトは、前記内視鏡の内部に配置される［２４］に記載の装置。
［２６］前記視覚化システムは、前記可撓性駆動シャフトを回転させるためのモータを有する［２４］に記載の装置。
［２７］前記内視鏡の先端は、前記使い捨ての駆動管が前記回転可能な駆動カラーに固定に取り付けられたときに、前記使い捨ての駆動管から突出する［２３］に記載の装置。
［２８］前記取り付け部は、バヨネット式の取り付け部を有する［２３］に記載の装置。
［２９］前記バヨネット式の取り付け部は、前記使い捨ての駆動管及び前記回転可能な駆動カラーの一方に位置するピンと、前記使い捨ての駆動管及び前記回転可能な駆動カラーの他方に位置するスロットとを有する［２８］に記載の装置。
［３０］前記変形可能な螺旋ねじは、中空構造を有する［２３］に記載の装置。
［３１］前記変形可能な螺旋ねじは、半卵形断面ねじ輪郭を有する［２３］に記載の装置。
［３２］前記変形可能な螺旋ねじは、非対称断面を有する［２３］に記載の装置。
［３３］前記変形可能な螺旋ねじは、螺旋の長さに沿って変化する輪郭を有する［２３］に記載の装置。
［３４］前記変形可能な螺旋ねじは、膨張材料を前記螺旋ねじの内部に導入することによって拡大形状構成に変換される［３０］に記載の装置。
［３５］前記膨張材料は、液体を含む［３４］に記載の装置。
［３６］前記膨張材料は、気体を含む［３４］に記載の装置。
［３７］前記膨張材料は、固体を含む［３４］に記載の装置。
［３８］前記変形可能な螺旋ねじは、前記膨張材料を前記螺旋ねじの内部から取り除くことによって、縮小形状構成に変換される［３４］に記載の装置。
［３９］内視鏡と前記内視鏡が配置される体内の通路の側壁との間の相対移動を生じさせるための装置であって、前記内視鏡は、前記内視鏡に対して相対回転するように構成された回転可能な駆動カラーを有しており、前記装置が、使い捨ての駆動管と、前記使い捨ての駆動管を前記内視鏡の前記回転可能な駆動カラーに着脱可能に固定するための手段とを具備し、前記使い捨ての駆動管は、外面に変形可能な螺旋ねじが配置された細長い管を備えており、前記細長い管は、前記内視鏡と同軸に配置されるように構成されており、（ｉ）前記変形可能な螺旋ねじは、縮小形状構成と拡大形状構成との間で変換可能であり、（ｉｉ）前記拡大形状構成の状態で、変形可能な螺旋ねじが前記体内の通路の内部側壁に係合するように前記使い捨ての駆動管が体内の通路に配置されたときに、前記使い捨ての駆動管の回転によって前記使い捨ての駆動管と前記体内の通路の側壁との間に相対移動が生じるように、充分な構造的完全性及び充分な表面形状を有しており、前記使い捨ての駆動管は、前記使い捨ての駆動管が前記内視鏡の前記回転可能な駆動カラーに固定されるように、前記内視鏡に同軸に取り付けられる装置。
【図１】
0005985468.tif 000002
【図２】
0005985468.tif 000003
【図３】
0005985468.tif 000004
【図４】
0005985468.tif 000005
【図５】
0005985468.tif 000006
【図６】
0005985468.tif 000007
【図７】
0005985468.tif 000008
【図８】
0005985468.tif 000009
【図９】
0005985468.tif 000010
【図１０】
0005985468.tif 000011
【図１１】
0005985468.tif 000012
【図１２】
0005985468.tif 000013
【図１３】
0005985468.tif 000014
【図１４】
0005985468.tif 000015
【図１５】
0005985468.tif 000016
【図１６】
0005985468.tif 000017
【図１７】
0005985468.tif 000018
【図１８】
0005985468.tif 000019
【図１９】
0005985468.tif 000020
【図２０】
0005985468.tif 000021
【図２１】
0005985468.tif 000022
【図２２】
0005985468.tif 000023
【図２３】
0005985468.tif 000024
【図２４】
0005985468.tif 000025
【図２５】
0005985468.tif 000026
【図２６】
0005985468.tif 000027
【図２７】
0005985468.tif 000028
【図２８】
0005985468.tif 000029
【図２９】
0005985468.tif 000030
【図３０】
0005985468.tif 000031
【図３１Ａ】
0005985468.tif 000032
【図３１Ｂ】
0005985468.tif 000033
【図３２】
0005985468.tif 000034
【図３３】
0005985468.tif 000035
【図３４】
0005985468.tif 000036
【図３５】
0005985468.tif 000037
【図３６】
0005985468.tif 000038
【図３７】
0005985468.tif 000039
【図３８】
0005985468.tif 000040
【図３９】
0005985468.tif 000041
【図３９Ａ】
0005985468.tif 000042
【図３９Ｂ】
0005985468.tif 000043
【図３９Ｃ】
0005985468.tif 000044
【図３９Ｄ】
0005985468.tif 000045
【図３９Ｅ】
0005985468.tif 000046
【図４０】
0005985468.tif 000047
【図４１】
0005985468.tif 000048
【図４２】
0005985468.tif 000049
【図４３】
0005985468.tif 000050
【図４４】
0005985468.tif 000051
【図４５】
0005985468.tif 000052
【図４６】
0005985468.tif 000053
【図４７】
0005985468.tif 000054
【図４８】
0005985468.tif 000055
【図４９】
0005985468.tif 000056
【図５０】
0005985468.tif 000057
【図５１】
0005985468.tif 000058
【図５２】
0005985468.tif 000059
【図５３】
0005985468.tif 000060
【図５４】
0005985468.tif 000061
【図５５】
0005985468.tif 000062
【図５６】
0005985468.tif 000063
【図５７】
0005985468.tif 000064
【図５８】
0005985468.tif 000065
【図５９】
0005985468.tif 000066
【図６０】
0005985468.tif 000067
【図６１】
0005985468.tif 000068
【図６２】
0005985468.tif 000069
【図６３】
0005985468.tif 000070
【図６４】
0005985468.tif 000071
【図６５】
0005985468.tif 000072
【図６６】
0005985468.tif 000073
【図６７】
0005985468.tif 000074
【図６８】
0005985468.tif 000075
【図６９】
0005985468.tif 000076
【図７０】
0005985468.tif 000077
【図７１】
0005985468.tif 000078
【図７２】
0005985468.tif 000079
【図７３】
0005985468.tif 000080
【図７４】
0005985468.tif 000081
【図７５】
0005985468.tif 000082
【図７６】
0005985468.tif 000083
【図７７】
0005985468.tif 000084
【図７８】
0005985468.tif 000085
【図７９】
0005985468.tif 000086
【図８０】
0005985468.tif 000087
【図８１】
0005985468.tif 000088
【図８２】
0005985468.tif 000089
【図８３】
0005985468.tif 000090
【図８４】
0005985468.tif 000091
【図８５】
0005985468.tif 000092
【図８６】
0005985468.tif 000093
【図８７】
0005985468.tif 000094
【図８８】
0005985468.tif 000095